(57)【要約】【課題】ユーザのＣＤ購買意欲を促進するとともに、購入したＣＤをユーザがＨＤＤコンポで再生する際に容易にアルバム情報を閲覧することができる。【解決手段】店舗側パソコン１は、ユーザによってＣＤが購入されたことに基づいてＣＤのユニーク情報を生成し、そのユニーク情報をＣＤに設けられたＩＣチップＣａに記録する。また、このユニーク情報を、インターネット３を介して管理サーバ４に送信するとともに、ＨＤＤコンポ６に送信する。ＨＤＤコンポ６は、ＣＤの楽曲が再生されるとき、ＩＣチップＣａに記録されたユニーク情報と、店舗側パソコン１から送信されたユニーク情報とを照合し、一致した場合、ユニーク情報をインターネット３を介して管理サーバ４に送信する。管理サーバ４は、店舗側パソコン１からのユニーク情報と、ＨＤＤコンポ６からのユニーク情報とを照合し、一致した場合、ＣＤに関するアルバム情報をインターネット３を介してＨＤＤコンポ６に送信する。ＨＤＤコンポ６は、管理サーバ４からのアルバム情報を表示部８に表示させる。【選択図】図１１
2010097672.tif 000002
【特許請求の範囲】
【請求項１】
購入された可搬型の音楽記録媒体に記録された音楽情報を内蔵の第１の記憶装置に記憶し、その第１の記憶装置から読み出して再生することができる音楽再生装置と、前記音楽記録媒体の購入先に配置された情報端末装置と、販売される多数の音楽記録媒体ごとに各音楽記録媒体に関連した画像情報を記憶する第２の記憶装置を備えた管理用情報端末装置とがネットワーク回線によって相互に接続され、前記音楽再生装置からの要求に応じて前記管理用情報端末装置から前記画像情報を前記音楽再生装置に配信するサービス提供システムであって、
前記情報端末装置は、
前記音楽記録媒体に付された固有の情報を入力するための入力手段と、
前記固有の情報に基づいて、購入された音楽記録媒体を特定する媒体特定情報とその音楽記録媒体の購入者を特定する購入者特定情報とを含む特定情報を生成する情報生成手段と、
前記特定情報を前記音楽再生装置と前記管理用情報端末装置とに送信する情報送信制御手段と、
前記媒体特定情報を前記音楽記録媒体に設けられたチップ型の記録素子に記録する情報記録手段と、を有し、
前記音楽再生装置は、
前記画像情報を表示可能な表示手段と、
前記情報端末装置から送信される特定情報を受信し、その特定情報を前記第１の記憶装置に記憶する第１の情報受信制御手段と、
前記記録素子に記録された媒体特定情報を読み取る情報読取手段と、
前記媒体特定情報が読み取られた音楽記録媒体から音楽情報を読み出し、前記第１の記憶装置に記憶する情報記憶制御手段と、
前記第１の記憶装置に記憶された音楽情報と、前記情報読取手段で読み取られた媒体特定情報を含む特定情報とを対応付けたテーブルを生成し、前記第１の記憶装置に記憶するテーブル生成手段と、
前記第１の記憶装置に記憶された音楽情報を再生するときに、前記テーブルから当該音楽情報に対応する特定情報を読み出し、その特定情報とともに前記画像情報の要求を前記管理用情報端末装置に送信する画像情報要求手段と、
前記要求の応答として前記管理用情報端末装置から送信される画像情報を受信し、その画像情報を前記表示手段に表示させる表示制御手段と、を有し、
前記管理用情報端末装置は、
前記情報端末装置から送信される前記特定情報を受信し、その特定情報を前記第２の記憶装置に記憶する第２の情報受信制御手段と、
前記音楽再生装置から画像情報の要求があると、その要求に含まれる特定情報と前記第２の記憶装置に記憶された特定情報とを照合する照合手段と、
前記要求に含まれる特定情報と前記第２の記憶装置に記憶された特定情報とが一致している場合にのみ、その特定情報の媒体特定情報に対応する画像情報を前記第２の記憶装置から読み出し、前記音楽再生装置に送信する画像情報送信制御手段と、を有する
ことを特徴とする、サービス提供システム。
【請求項２】
購入された可搬型の音楽記録媒体に記録された音楽情報を内蔵の第１の記憶装置に記憶し、その第１の記憶装置から読み出して再生することができる音楽再生装置と、
前記音楽記録媒体の購入先に配置された第１の情報端末装置と、
販売される多数の音楽記録媒体ごとに各音楽記録媒体に関連した画像情報を記憶する第２の記憶装置を備えた管理用情報端末装置と、
前記音楽再生装置が接続された地域特定ネットワーク回線と、
前記地域特定ネットワーク回線に接続され、当該地域特定ネットワーク回線における通信を管理する可搬型の第２の情報端末装置と、
前記地域特定ネットワーク回線、前記第１の情報端末装置および前記管理用情報端末装置が接続された広域ネットワーク回線と、を含み、
前記音楽再生装置からの要求に応じて前記管理用情報端末装置から当該音楽再生装置に前記画像情報を前記広域ネットワーク回線および前記地域特定ネットワーク回線を介して配信するサービス提供システムであって、
前記第１の情報端末装置は、
前記音楽記録媒体に付された固有の情報を入力するための入力手段と、
前記固有の情報に基づいて、購入された音楽記録媒体を特定する媒体特定情報とその音楽記録媒体の購入者を特定する購入者特定情報とを含む特定情報を生成する情報生成手段と、
前記特定情報を前記第２の情報端末装置と前記管理用情報端末装置とに送信する第１の情報送信制御手段と、
前記媒体特定情報を前記音楽記録媒体に設けられたチップ型の記録素子に記録する情報記録手段と、を有し、
前記第２の情報端末装置は、
当該第２の情報端末装置が接続されている地域特定ネットワーク回線に自動的に割り当てられる当該地域特定ネットワーク回線を特定する回線特定情報を前記管理用情報端末装置に送信する第２の情報送信制御手段と、
前記第１の情報端末装置から送信される特定情報を前記音楽再生装置に転送する特定情報転送手段と、を有し、
前記音楽再生装置は、
前記画像情報を表示可能な表示手段と、
前記第２の情報端末装置から転送される特定情報を受信し、その特定情報を前記第１の記憶装置に記憶する第１の情報受信制御手段と、
前記記録素子に記録された媒体特定情報を読み取る情報読取手段と、
前記媒体特定情報が読み取られた音楽記録媒体から音楽情報を読み出し、前記第１の記憶装置に記憶する音楽情報記憶制御手段と、
前記第１の記憶装置に記憶された音楽情報と、前記情報読取手段で読み取られた媒体特定情報を含む前記特定情報と、前記音楽再生装置が地域特定ネットワーク回線に自動的に割り当てられる当該地域特定ネットワーク回線を特定する回線特定情報とを対応付けた第１のテーブルを生成し、前記第１の記憶装置に記憶する第１のテーブル生成手段と、
前記第１の記憶装置に記憶された音楽情報を再生するときに、前記第１のテーブルから当該音楽情報に対応する特定情報および回線特定情報を読み出し、それらの情報とともに前記画像情報の要求を前記管理用情報端末装置に送信する画像情報要求手段と、
前記要求の応答として前記管理用情報端末装置から送信される画像情報を受信し、その画像情報を前記表示手段に表示させる表示制御手段と、を有し、
前記管理用情報端末装置は、
前記第１の情報端末装置から送信される特定情報と前記第２の情報端末装置から送信される回線特定情報とを受信し、両情報を対応付けた第２のテーブルを生成して前記第２の記憶装置に記憶する第２の情報受信制御手段と、
前記音楽再生装置から画像情報の要求があると、その要求に含まれる特定情報および回線特定情報と前記第２の記憶装置に記憶された前記第２のテーブルとを照合する照合手段と、
前記要求に含まれる特定情報および回線特定情報が前記第２のテーブルに含まれている場合にのみ、その特定情報の媒体特定情報に対応する画像情報を前記第２の記憶装置から読み出し、その回線特定情報を有する地域特定ネットワーク回線に接続された音楽再生装置に送信する画像情報送信制御手段と、を有する
ことを特徴とする、サービス提供システム。
【請求項３】
前記回線特定情報は、自動的に変更されるアドレス情報と固定された回線通称名とで構成され、
前記第２の情報端末装置は、
当該第２の情報端末装置が接続されている地域特定ネットワーク回線のアドレス情報が変更されると、変更後のアドレス情報を検出する検出手段を備え、
前記第２の情報送信制御手段は、変更後のアドレス情報が検出される毎に、そのアドレス情報を前記管理用情報端末装置に送信し、
前記管理用情報端末装置は、
前記第２の情報端末装置からの変更後のアドレス情報を受信する毎に、前記第２の記憶装置に記憶されている第２のテーブルの内容を受信したアドレス情報で更新させるテーブル更新手段を備える、
ことを特徴とする、請求項２に記載のサービス提供システム。
【請求項４】
前記広域ネットワーク回線には前記地域特定ネットワーク回線とは異なる他の地域特定ネットワーク回線が接続されているとともに、当該他の地域特定ネットワーク回線には前記音楽再生装置と同一の機能を有する他の音楽再生装置が接続されており、
前記第２の情報端末装置は、
前記地域特定ネットワーク回線から前記他の地域特定ネットワーク回線に接続先が変更されたとき、前記地域特定ネットワーク回線の回線通称名を前記他の音楽再生装置に送信する回線通称名送信制御手段を備え、
前記他の音楽再生装置は、
前記第２の情報端末装置の前記他の地域特定ネットワーク回線への接続状態を監視する監視手段と、
前記第２の情報端末装置からの回線通称名を受信すると、その回線通称名を一時的な回線通称名として当該他の音楽再生装置に内蔵された第３の記憶装置に登録し、その後に前記第２の情報端末装置が未接続状態になると、前記第３の記憶装置から前記一時的な回線通称名を削除する回線通称名登録制御手段と、
前記第２の情報端末装置が前記他の地域特定ネットワーク回線に接続されている状態で前記画像情報を要求する場合は、その要求に含まれる回線通称名を前記一時的な回線通称名に変更する要求内容変更手段と、を備える、
ことを特徴とする、請求項３に記載のサービス提供システム。
【請求項５】
前記第１の情報端末装置は、
前記入力手段から入力される前記音楽記録媒体の購入者の指定する特定回線通称名を前記管理用情報端末装置に送信する第３の情報送信制御手段をさらに備え、
前記管理用情報端末は、
前記第１の情報端末装置からの特定回線通称名を受信し、前記第２の記憶装置に記憶する第３の情報送信制御手段と、
前記音楽再生装置または前記他の音楽再生装置から画像情報の要求があると、その要求に含まれる回線通称名が前記第２の記憶装置に記憶されている特定回線通称名と一致するか否かを判別する判別手段と、
前記要求に含まれる回線通称名が前記特定回線通称名と一致している場合、要求のあった音楽再生装置に当該音楽再生情報が接続されている特定地域ネットワーク回線のアドレス情報の送信を要求するアドレス情報要求手段と、
前記要求の応答として前記音楽再生情報から送信されるアドレス情報を受信すると、前記第２の記憶装置に記憶されている第２のテーブルの内容を受信したアドレス情報で更新させる第２のテーブル更新手段とをさらに備え、
前記音楽再生装置又は前記他の音楽再生装置は、
前記管理用端末装置からのアドレス情報の送信要求を受信すると、当該音楽再生装置が接続されている地域特定ネットワーク回線のアドレス情報を前記管理用端末装置に送信する第４の情報送信制御手段をさらに備える、
ことを特徴とする、請求項４に記載のサービス提供システム。
【請求項６】
前記媒体特定情報は、前記音楽記録媒体の演奏者、アルバム名、製造者、製造番号の中の少なくとも１つと、購入先名と購入時刻の一方または両方とを組み合わせた情報であることを特徴とする、請求項１ないし５のいずれかに記載のサービス提供システム。
【請求項７】
前記画像情報は、前記音楽記録媒体に記録された楽曲の歌詞のデータ、当該音楽記録媒体に添付されるライナーノーツ又はアルバムジャケットのデータの少なくとも１つを含む情報であることを特徴とする、請求項１ないし６のいずれかに記載のサービス提供システム。
【発明の詳細な説明】
【技術分野】
【０００１】
本願発明は、ＣＤ（compact disc）等の音楽記録媒体の購入促進を図るためのサービス提供システムに関するものである。
【背景技術】
【０００２】
近年、ＣＤ等の音楽記録媒体が普及している。この音楽記録媒体は、通常、ＣＤショップ等の店舗で販売され、ユーザがその音楽記録媒体を購入し、自宅や車等にあるＣＤ再生装置で再生することにより、ユーザはＣＤに含まれる楽曲を楽しむことができる。一般に、ＣＤには楽曲のディジタルデータのみが記録され、歌詞、アルバムジャケット、ライナーノーツ等は冊子に印刷されてＣＤと共に提供されている。ＣＤを再生装置に装着して楽曲を再生する場合、ユーザは、ＣＤケースに収納されている歌詞カードやアルバムジャケット等を見ながら楽曲を楽しむことができる。
【０００３】
ＣＤ再生装置としては、最近では内部に所定の容量のハードディスク装置を備えたものが提案されている（以下、この種のＣＤ再生装置を「ＨＤＤコンポ」という）。このＨＤＤコンポでは、ＣＤに記録された楽曲のディジタルデータを一旦ハードディスク装置にリッピングし、そのハードディスク装置から所望の楽曲を再生させることができる。したがって、ユーザは、ＣＤを購入してもそのＣＤに記録された楽曲のデータをハードディスク装置にリッピングした後は、専らハードディスク装置から楽曲を再生して楽しむことが多くなり、ＣＤを直接再生することが少なくなる傾向がある。
【０００４】
また、ＨＤＤコンポでは、ＣＤに記録された楽曲のデータをリッピングすることによりその楽曲を容易に楽しむことができるので、ユーザは、レンタルショップや友人から所望のＣＤを借り受ける傾向になり、ＣＤを購入することが少なくなる。この傾向は、ＣＤメーカにとっては、ＣＤの販売が減少するという不都合を生じ、好ましくない。
【０００５】
上記したように、ＣＤを再生する場合、歌詞等のアルバム情報は冊子にしてＣＤケースに収納されているため、楽曲の再生時にはアルバム情報を容易に閲覧できる。しかしながら、ＨＤＤコンポを用いてＣＤの楽曲の楽しむ場合は、上記のように、ＣＤに記録された楽曲のデータをハードディスク装置にリッピングした後はＣＤを直接再生することが少なくなり、楽曲の再生時にＣＤケースが手元にないことが多いので、楽曲の再生は容易である反面、アルバム情報は容易に閲覧できないという不都合がある。
【０００６】
そこで、上記のＣＤメーカにおける不都合とユーザの不都合を解消する方法として、ＣＤを購入したユーザが当該ＣＤの楽曲を再生する際に、ＣＤメーカがネットワークを介してその楽曲の歌詞データやその楽曲を含むＣＤのアルバムジャケットやライナーノーツのデータを、ＣＤ購入の特典として配信する方法が考えられる。
【０００７】
具体的には、ＣＤの楽曲をＨＤＤコンポで再生する際に、当該ＨＤＤコンポからそのＣＤを特定する識別情報をＣＤメーカのサーバに送信し、そのサーバからその識別情報に対応するアルバム情報のデータをＨＤＤコンポに返送し、当該ＨＤＤコンポで再生する方法が考えられる。この方法により、ユーザに上記の特典を目的としてＣＤの購入意欲を喚起することができるので、上記のＣＤメーカにおける不都合を解消することができる。また、ＣＤを購入したユーザは、当該ＣＤ再生時にアルバム情報を容易に閲覧することができるので、上記のユーザにおける不都合も解消することができる。
【０００８】
しかしながら、上記の方法において、識別情報が単にＣＤを特定する情報であると、ＣＤ購入者やレンタルショップからＣＤを借り受けたユーザ等のＣＤ購入者以外の人も上記の特典を享受できることになり、好ましくない。したがって、上記の方法を採用するには、識別情報によって真のＣＤ購入者を識別し、そのＣＤ購入者にだけＣＤ購入の特典を付与する構成が必要になる。
【発明の開示】
【発明が解決しようとする課題】
【０００９】
本願発明は、上記した事情のもとで考え出されたものであって、ユーザのＣＤ購買意欲を促進するとともに、購入したＣＤをユーザがＨＤＤコンポで再生する際に容易にアルバム情報を閲覧することができるサービス提供システムを提供することを、その課題とする。
【００１０】
【特許文献１】特開２００５−２８６７０３号公報
【課題を解決するための手段】
【００１１】
上記の課題を解決するため、本願発明では、次の技術的手段を講じている。
【００１２】
本願発明の第１の側面によって提供されるサービス提供システムは、購入された可搬型の音楽記録媒体に記録された音楽情報を内蔵の第１の記憶装置に記憶し、その第１の記憶装置から読み出して再生することができる音楽再生装置と、前記音楽記録媒体の購入先に配置された情報端末装置と、販売される多数の音楽記録媒体ごとに各音楽記録媒体に関連した画像情報を記憶する第２の記憶装置を備えた管理用情報端末装置とがネットワーク回線によって相互に接続され、前記音楽再生装置からの要求に応じて前記管理用情報端末装置から前記画像情報を前記音楽再生装置に配信するサービス提供システムであって、前記情報端末装置は、前記音楽記録媒体に付された固有の情報を入力するための入力手段と、前記固有の情報に基づいて、購入された音楽記録媒体を特定する媒体特定情報とその音楽記録媒体の購入者を特定する購入者特定情報とを含む特定情報を生成する情報生成手段と、前記特定情報を前記音楽再生装置と前記管理用情報端末装置とに送信する情報送信制御手段と、前記媒体特定情報を前記音楽記録媒体に設けられたチップ型の記録素子に記録する情報記録手段とを有し、前記音楽再生装置は、前記画像情報を表示可能な表示手段と、前記情報端末装置から送信される特定情報を受信し、その特定情報を前記第１の記憶装置に記憶する第１の情報受信制御手段と、前記記録素子に記録された媒体特定情報を読み取る情報読取手段と、前記媒体特定情報が読み取られた音楽記録媒体から音楽情報を読み出し、前記第１の記憶装置に記憶する情報記憶制御手段と、前記第１の記憶装置に記憶された音楽情報と、前記情報読取手段で読み取られた媒体特定情報を含む特定情報とを対応付けたテーブルを生成し、前記第１の記憶装置に記憶するテーブル生成手段と、前記第１の記憶装置に記憶された音楽情報を再生するときに、前記テーブルから当該音楽情報に対応する特定情報を読み出し、その特定情報とともに前記画像情報の要求を前記管理用情報端末装置に送信する画像情報要求手段と、前記要求の応答として前記管理用情報端末装置から送信される画像情報を受信し、その画像情報を前記表示手段に表示させる表示制御手段と、を有し、前記管理用情報端末装置は、前記情報端末装置から送信される前記特定情報を受信し、その特定情報を前記第２の記憶装置に記憶する第２の情報受信制御手段と、前記音楽再生装置から画像情報の要求があると、その要求に含まれる特定情報と前記第２の記憶装置に記憶された特定情報とを照合する照合手段と、前記要求に含まれる特定情報と前記第２の記憶装置に記憶された特定情報とが一致している場合にのみ、その特定情報の媒体特定情報に対応する画像情報を前記第２の記憶装置から読み出し、前記音楽再生装置に送信する画像情報送信制御手段と、を有することを特徴としている（請求項１）。
【００１３】
本願発明の第２の側面によって提供されるサービス提供システムは、購入された可搬型の音楽記録媒体に記録された音楽情報を内蔵の第１の記憶装置に記憶し、その第１の記憶装置から読み出して再生することができる音楽再生装置と、前記音楽記録媒体の購入先に配置された第１の情報端末装置と、販売される多数の音楽記録媒体ごとに各音楽記録媒体に関連した画像情報を記憶する第２の記憶装置を備えた管理用情報端末装置と、前記音楽再生装置が接続された地域特定ネットワーク回線と、前記地域特定ネットワーク回線に接続され、当該地域特定ネットワーク回線における通信を管理する可搬型の第２の情報端末装置と、前記地域特定ネットワーク回線、前記第１の情報端末装置および前記管理用情報端末装置が接続された広域ネットワーク回線とを含み、前記音楽再生装置からの要求に応じて前記管理用情報端末装置から当該音楽再生装置に前記画像情報を前記広域ネットワーク回線および前記地域特定ネットワーク回線を介して配信するサービス提供システムであって、前記第１の情報端末装置は、前記音楽記録媒体に付された固有の情報を入力するための入力手段と、前記固有の情報に基づいて、購入された音楽記録媒体を特定する媒体特定情報とその音楽記録媒体の購入者を特定する購入者特定情報とを含む特定情報を生成する情報生成手段と、前記特定情報を前記第２の情報端末装置と前記管理用情報端末装置とに送信する第１の情報送信制御手段と、前記媒体特定情報を前記音楽記録媒体に設けられたチップ型の記録素子に記録する情報記録手段とを有し、前記第２の情報端末装置は、当該第２の情報端末装置が接続されている地域特定ネットワーク回線に自動的に割り当てられる当該地域特定ネットワーク回線を特定する回線特定情報を前記管理用情報端末装置に送信する第２の情報送信制御手段と、前記第１の情報端末装置から送信される特定情報を前記音楽再生装置に転送する特定情報転送手段とを有し、前記音楽再生装置は、前記画像情報を表示可能な表示手段と、前記第２の情報端末装置から転送される特定情報を受信し、その特定情報を前記第１の記憶装置に記憶する第１の情報受信制御手段と、前記記録素子に記録された媒体特定情報を読み取る情報読取手段と、前記媒体特定情報が読み取られた音楽記録媒体から音楽情報を読み出し、前記第１の記憶装置に記憶する音楽情報記憶制御手段と、前記第１の記憶装置に記憶された音楽情報と、前記情報読取手段で読み取られた媒体特定情報を含む前記特定情報と、前記音楽再生装置が地域特定ネットワーク回線に自動的に割り当てられる当該地域特定ネットワーク回線を特定する回線特定情報とを対応付けた第１のテーブルを生成し、前記第１の記憶装置に記憶する第１のテーブル生成手段と、前記第１の記憶装置に記憶された音楽情報を再生するときに、前記第１のテーブルから当該音楽情報に対応する特定情報および回線特定情報を読み出し、それらの情報とともに前記画像情報の要求を前記管理用情報端末装置に送信する画像情報要求手段と、前記要求の応答として前記管理用情報端末装置から送信される画像情報を受信し、その画像情報を前記表示手段に表示させる表示制御手段とを有し、前記管理用情報端末装置は、前記第１の情報端末装置から送信される特定情報と前記第２の情報端末装置から送信される回線特定情報とを受信し、両情報を対応付けた第２のテーブルを生成して前記第２の記憶装置に記憶する第２の情報受信制御手段と、前記音楽再生装置から画像情報の要求があると、その要求に含まれる特定情報および回線特定情報と前記第２の記憶装置に記憶された前記第２のテーブルとを照合する照合手段と、前記要求に含まれる特定情報および回線特定情報が前記第２のテーブルに含まれている場合にのみ、その特定情報の媒体特定情報に対応する画像情報を前記第２の記憶装置から読み出し、その回線特定情報を有する地域特定ネットワーク回線に接続された音楽再生装置に送信する画像情報送信制御手段とを有すること特徴としている（請求項２）。
【００１４】
本願発明の第２の側面によって提供されるサービス提供システムにおいて、前記回線特定情報は、自動的に変更されるアドレス情報と固定された回線通称名とで構成され、前記第２の情報端末装置は、当該第２の情報端末装置が接続されている地域特定ネットワーク回線のアドレス情報が変更されると、変更後のアドレス情報を検出する検出手段を備え、前記第２の情報送信制御手段は、変更後のアドレス情報が検出される毎に、そのアドレス情報を前記管理用情報端末装置に送信し、前記管理用情報端末装置は、前記第２の情報端末装置からの変更後のアドレス情報を受信する毎に、前記第２の記憶装置に記憶されている第２のテーブルの内容を受信したアドレス情報で更新させるテーブル更新手段を備えるとよい（請求項３）。
【００１５】
また、上記のサービス提供システムにおいて、前記広域ネットワーク回線には前記地域特定ネットワーク回線とは異なる他の地域特定ネットワーク回線が接続されているとともに、当該他の地域特定ネットワーク回線には前記音楽再生装置と同一の機能を有する他の音楽再生装置が接続されており、前記第２の情報端末装置は、前記地域特定ネットワーク回線から前記他の地域特定ネットワーク回線に接続先が変更されたとき、前記地域特定ネットワーク回線の回線通称名を前記他の音楽再生装置に送信する回線通称名送信制御手段を備え、前記他の音楽再生装置は、前記第２の情報端末装置の前記他の地域特定ネットワーク回線への接続状態を監視する監視手段と、前記第２の情報端末装置からの回線通称名を受信すると、その回線通称名を一時的な回線通称名として当該他の音楽再生装置に内蔵された第３の記憶装置に登録し、その後に前記第２の情報端末装置が未接続状態になると、前記第３の記憶装置から前記一時的な回線通称名を削除する回線通称名登録制御手段と、前記第２の情報端末装置が前記他の地域特定ネットワーク回線に接続されている状態で前記画像情報を要求する場合は、その要求に含まれる回線通称名を前記一時的な回線通称名に変更する要求内容変更手段とを備えるとよい（請求項４）。
【００１６】
また、上記のサービス提供システムにおいて、前記第１の情報端末装置は、前記入力手段から入力される前記音楽記録媒体の購入者の指定する特定回線通称名を前記管理用情報端末装置に送信する第３の情報送信制御手段をさらに備え、前記管理用情報端末は、前記第１の情報端末装置からの特定回線通称名を受信し、前記第２の記憶装置に記憶する第３の情報送信制御手段と、前記音楽再生装置または前記他の音楽再生装置から画像情報の要求があると、その要求に含まれる回線通称名が前記第２の記憶装置に記憶されている特定回線通称名と一致するか否かを判別する判別手段と、前記要求に含まれる回線通称名が前記特定回線通称名と一致している場合、要求のあった音楽再生装置に当該音楽再生情報が接続されている特定地域ネットワーク回線のアドレス情報の送信を要求するアドレス情報要求手段と、前記要求の応答として前記音楽再生情報から送信されるアドレス情報を受信すると、前記第２の記憶装置に記憶されている第２のテーブルの内容を受信したアドレス情報で更新させる第２のテーブル更新手段とをさらに備え、前記音楽再生装置又は前記他の音楽再生装置は、前記管理用端末装置からのアドレス情報の送信要求を受信すると、当該音楽再生装置が接続されている地域特定ネットワーク回線のアドレス情報を前記管理用端末装置に送信する第４の情報送信制御手段をさらに備えるとよい（請求項５）。
【００１７】
本願発明のサービス提供システムにおいて、前記媒体特定情報は、前記音楽記録媒体の演奏者、アルバム名、製造者、製造番号の中の少なくとも１つと、購入先名と購入時刻の一方または両方とを組み合わせた情報であるとよい（請求項６）。
【００１８】
本願発明のサービス提供システムにおいて、前記画像情報は、前記音楽記録媒体に記録された楽曲の歌詞のデータ、当該音楽記録媒体に添付されるライナーノーツ又はアルバムジャケットのデータの少なくとも１つを含む情報であるとよい（請求項７）。
【発明の効果】
【００１９】
第１の側面によって提供されるサービス提供システムによれば、ユーザが可搬型の音楽記録媒体（例えば、音楽ＣＤ）を購入すると、音楽記録媒体の購入先の情報端末装置でその音楽記録媒体を特定する媒体特定情報（例えば、演奏者、アルバム名、製造者、製造番号の中の少なくとも１つと、購入先名、購入時刻のいずれか一方または両方とを含む情報）とその音楽記録媒体の購入者を特定する購入者特定情報とを含む特定情報が生成され、その特定情報が管理用情報端末装置とユーザの所有する音楽再生装置とに送信される。また、特定情報が音楽記録媒体に設けられたチップ型の記録素子に記録される。
【００２０】
ユーザが、購入した音楽記録媒体に記録された音楽情報を音楽再生装置に内蔵された第１の記憶装置（例えば、ハードディスク装置）にリッピングする際、その音楽情報と当該音楽記録媒体の記録素子に記録された特定情報とが対応付けられたテーブルが作成されて第１の記憶装置に記憶される。その後、ユーザが第１の記憶装置にリッピングされた音楽情報を再生すると、その音楽情報に対応する特定情報が管理用情報端末装置に送信される。
【００２１】
管理用情報端末装置では、その特定情報が情報端末装置から送信された特定情報と照合され、一致する特定情報があれば、音楽再生装置から送信された特定情報に対応する音楽記録媒体に関連する画像情報（例えば、歌詞のデータや音楽記録媒体に添付されているアルバムジャケットやライナーノーツ等の情報）が当該音楽再生装置に返送される。そして、音楽再生装置では、返送された画像情報が表示手段に表示される。
【００２２】
これにより、音楽記録媒体を購入したユーザがその音楽記録媒体の記録された音楽情報を再生して楽しむときに、手元に音楽記録媒体が無い場合でも、例えば、その楽曲の歌詞や音楽記録媒体に添付されたアルバムジャケットやライナーノーツ等を音楽再生装置の表示部で容易に確認することができる。
【００２３】
また、音楽記録媒体を購入すると、その音楽記録媒体を再生するときに画像情報を取得できるという特典が得られるので、ユーザの音楽記録媒体を購入しようとする意欲が向上し、音楽記録媒体の販売促進を図ることができる。
【００２４】
第２の側面によって提供されるサービス提供システムによれば、音楽記録媒体の購入先の第１の情報端末装置から当該音楽記録媒体の特定情報が地域特定ネットワーク回線に接続されている第２の情報端末装置に送信され、この第２の情報端末装置から地域特定ネットワーク回線に接続されている音楽再生装置に転送される。また、第２の情報端末装置から当該第２の情報端末装置の接続されている地域特定ネットワーク回線を特定する回線特定情報が管理用情報端末装置に送信され、管理用情報端末装置では、その回線特定情報と第１の情報端末装置から送信される特定情報とを対応付けた第２のテーブルが作成される。
【００２５】
ユーザが音楽再生装置内の第１の記憶装置にリッピングされた音楽情報を再生すると、その音楽情報に対応する特定情報および当該音楽再生装置が接続された地域特定ネットワーク回線の回線特定情報とともに、画像情報の要求が管理用情報端末装置に送信される。
【００２６】
管理用情報端末装置では、その特定情情報および回線特定情報が第２のテーブルと照合され、一致する特定情報および回線特定情報があれば、音楽再生装置から送信された特定情報に対応する音楽記録媒体に関連する画像情報が当該音楽再生装置に返送される。
【００２７】
したがって、第２の側面によって提供されるサービス提供システムにおいても、第１の側面によって提供されるサービス提供システムと同様の効果を奏することができる。さらに、音楽記録媒体の購入者が第２の情報端末装置の接続先を自宅に構築した地域特定ネットワーク回線から、例えば、友人宅に構築されている他の地域特定ネットワーク回線に変更した場合、第２の情報端末装置は、他の地域特定ネットワーク回線の回線特定情報を管理用情報端末装置に送信して当該管理用情報端末装置に登録された第２のテーブルの内容を変更させるので、音楽記録媒体の購入者は他の地域特定ネットワーク回線に接続された音楽再生装置（友人の所有する装置）でも、すなわち、自宅以外の場所でも、購入した音楽記録媒体の音楽情報をリッピングして再生する際に、管理用情報端末装置から画像情報提供のサービスを受けることができる。
【００２８】
また、音楽記録媒体の購入者が第２の情報端末装置の接続先を他の地域特定ネットワーク回線から自宅の地域特定ネットワーク回線に戻した場合は、第２の情報端末装置は、自宅の地域特定ネットワーク回線の回線特定情報を管理用情報端末装置に送信して当該管理用情報端末装置に登録された第２のテーブルの内容を元に戻すように変更させるので、友人宅では他の地域特定ネットワーク回線に第２の情報端末装置が接続されていない状態では、音楽再生装置でリッピングした音楽情報を再生しても管理用情報端末装置から画像情報提供のサービスを受けることはできない。
【００２９】
したがって、第２の側面によって提供されるサービス提供システムにおいては、地域特定ネットワーク回線に接続されている音楽再生装置は、音楽記録媒体の購入者が第２の情報端末装置を当該地域特定ネットワーク回線に接続しているときにのみ、管理用情報端末装置から画像情報提供のサービスを受けることができ、音楽記録媒体の購入者以外の者はそのサービスを受けることができないので、サービス享受における音楽記録媒体の購入者と非購入者との間の不公平を抑制することができる。
【００３０】
また、第１の情報端末装置から管理用情報端末装置に、音楽記録媒体の購入者の指定する特定回線通称名（例えば、音楽記録媒体の購入者の自宅に構築した地域特定ネットワーク回線の回線通称名）を登録する構成では、その特定回線通称名を有する地域特定ネットワーク回線に第２の情報端末装置が接続されていない場合であっても、当該地域特定ネットワーク回線に接続されている音楽再生装置から管理用情報端末装置に送信される回線通称名が当該管理用情報端末装置に登録された特定回線通称名に一致するので、音楽再生装置からアドレス情報を管理用情報端末装置に送信することによって当該管理用情報端末装置に登録されている第２のテーブルの内容を更新することができる。
【００３１】
したがって、音楽再生装置は、管理用情報端末装置に登録されている第２のテーブルの内容を当該音楽再生装置が接続されている地域特定ネットワーク回線の回線特定情報を含む内容に更新することによって、管理用情報端末装置から画像情報提供のサービスを受けることができるので、音楽記録媒体の購入者が自己の所有する音楽再生装置で上記のサービスを受ける際の作業性を向上させることができる。
【００３２】
本願発明のその他の特徴および利点は、添付図面を参照して以下に行う詳細な説明によって、より明らかとなろう。
【発明を実施するための最良の形態】
【００３３】
以下、本願発明の好ましい実施の形態を、添付図面を参照して具体的に説明する。
【００３４】
図１は、本願発明に係るサービス提供システムの一例を示す構成図である。
【００３５】
このサービス提供システムは、例えばＣＤ（Compact Disk）を販売するＣＤショップ等に備えられたパーソナルコンピュータ１（以下、単に「パソコン」という。）およびＩＤライタ２と、パソコン１にインターネット３等のネットワークを介して接続され、ＣＤメーカ側に備えられ、データベース４ａを有する管理サーバ４と、インターネット３にルータ５を介して接続されたＨＤＤコンポ６とによって構成されている。
【００３６】
このサービス提供システムは、ＣＤを購入したユーザに対してのみ当該ＣＤに関するアルバム情報を管理サーバ４から提供するシステムである。ここで、アルバム情報とは、例えばＣＤに含まれるトラック（曲）の歌詞のデータ、アルバムジャケットの画像イメージのデータ、トラックの再生時間のデータ等を含む情報をいい、購入したＣＤのＣＤケースに収容されている冊子等に印刷されているものと同等の内容のものである。すなわち、ＣＤには、楽曲のディジタルデータのみが記録され、上記アルバム情報は記録されていない。
【００３７】
サービス提供システムは、ユーザがＣＤを購入した場合、購入したことの情報が管理サーバ４に伝達され、購入したＣＤをユーザが自宅のＨＤＤコンポ６でリッピングされたＣＤの楽曲を再生すると、管理サーバ４から当該ＣＤに関するアルバム情報が送信され、ＨＤＤコンポ６の表示部（後述）の表示画面に表示されるものである。以下、ＨＤＤコンポ６の表示部の表示画面にＣＤのアルバム情報を表示するサービスのことを、「情報表示サービス」ということにする。
【００３８】
パソコン１は、図示しないが、ＣＰＵ、メモリおよびハードディスク装置等を有している。パソコン１は、ユーザが購入したＣＤに対して固有のユニークＩＤおよびパスワード（以下、これらを総称するときは「ユニーク情報」という。）を生成し、生成したユニーク情報をインターネット３を介して上記管理サーバ４やＨＤＤコンポ６に送信するためのものである。
【００３９】
ここで、ユニークＩＤとは、購入したＣＤに対して唯一設定されるＩＤであり、例えば複数桁を有する英数字からなる。ユニークＩＤは、当該ＣＤのアーティスト、アルバム名、ＣＤメーカ名およびＣＤの製作番号等を特定するアルバム番号（予めＣＤメーカ側で設定されているもの）と、ＣＤが購入されたことを表す購入認証番号とによって構成される。購入認証番号は、例えば店舗（ＣＤショップ）を特定するための店舗番号、ＣＤ購入時の時刻等によって定まる数値である。なお、ユニークＩＤは、アルバム番号のみで構成されてもよい。
【００４０】
ＣＤショップの従業員等が例えばＣＤケース等に二次元バーコード等で記載されているアルバム番号を、パソコン１に接続されたバーコードリーダー（図略）で読み取るとともに、従業員等がパソコン１に購入認証番号を手入力すると、パソコン１では、購入認証番号とアルバム番号とが合成されユニークＩＤが生成される。なお、購入認証番号は、パソコン１に内蔵されているリアルタイムクロックと、従業員等が予め入力した店舗番号とによって、パソコン１独自で生成されてもよい。
【００４１】
パスワードは、このサービス提供システムにおいてＣＤを購入したユーザを認証するものであり、例えば複数桁の英数字からなる。パスワードは、パソコン１において、ユニークＩＤが生成されるとき、それに基づいて作成される。なお、パスワードは、ユーザが任意な値を設定するようにしてもよい。
【００４２】
パソコン１には、ＩＤライタ２が接続されている。ＩＤライタ２は、ユーザがＣＤショップ等で購入したＣＤに対して、上記ユニークＩＤを書き込むためのものである。すなわち、ＣＤには、図２に示すように、ユニーク情報が書き込まれるＩＣチップＣａが予め装着されている。ＩＣチップＣａは、ＣＤのラベル表示面（印字面）の一部に、ＣＤ製造時等に装着されるものである。
【００４３】
ＩＤライタ２は、パソコン１で生成されたユニークＩＤのデータがパソコン１から送信されると、上記ＩＣチップＣａにユニークＩＤを書き込む。ＩＣチップＣａは、一度だけのデータ書き込みが可能であって数度のデータ読み出しが可能なタイプのものである。すなわち、ＩＤライタ２によって、アルバム番号および購入認証番号を含むユニークＩＤがＣＤのＩＣチップＣａに一旦書き込まれると、ＩＣチップＣａへのユニークＩＤの再度の書き込みは不可となる一方、ＩＣチップＣａに書き込まれたユニークＩＤは、読出機能を有する専用の装置（後述）によって何度でも読み出すことができるようになっている。
【００４４】
管理サーバ４は、多数のＣＤ（ＣＤメーカが販売しているＣＤ）の上記したアルバム情報をデータベース４ａに保有して管理するとともに、パソコン１やＨＤＤコンポ６から送信されるユニーク情報に基づいて、ＨＤＤコンポ６に対して購入されたＣＤのアルバム情報を提供するものである。より具体的には、管理サーバ４は、ユーザがＣＤを購入したときにパソコン１から送信されるユニーク情報と、ユーザがハードディスク装置１６に記憶された、リッピング後のＣＤのトラック（曲）を再生するときにＨＤＤコンポ６から送信されるユニーク情報とを照合し、ユニーク情報が一致すれば、そのユニーク情報に該当するＣＤのアルバム情報をＨＤＤコンポ６に送信する。
【００４５】
このように、管理サーバ４において、ユニーク情報が一致することを検出することにより、ＨＤＤコンポ６からユニーク情報が送信されることによるアルバム情報の要求が、実際にＣＤを購入したユーザからの要求であることを証明することになるので、当該ＣＤを購入したユーザに対して、アルバム情報を適切に提供することができる。
【００４６】
管理サーバ４は、アルバム情報の一つとして、ＣＤのトラック（曲）ごとに、例えば図３に示す画像イメージのデータと、図４に示す歌詞データテーブルのデータとをデータベース４ａに記憶している。画像イメージは、歌詞のデータとそのバックに表される背景画像のデータとが一体的に合成されたものである。画像イメージ内における歌詞のデータは、例えば曲の数フレーズ分が一行で表されている。なお、図３の画像イメージには、歌詞のデータ範囲を規定するためのｘｙ座標が設定されている。
【００４７】
歌詞データテーブルは、歌詞の一行分における、再生時間と、画像イメージ中の歌詞のデータ範囲を示す座標位置と、一行分の歌詞のデータの高さとを表すものである。例えば、図４の歌詞データテーブルによると、一行目の歌詞のデータは、画像イメージ上のｘｙ座標位置（５，５）〜（１２，５）の範囲にあり、歌詞のデータの高さ（座標）は、「７ドット」であることを示しており、その一行目の歌詞のデータを再生するには、例えば１７秒有することを示している。
【００４８】
管理サーバ４では、ＨＤＤコンポ６にアルバム情報を送信するとき、アルバム情報の一つとして画像イメージと歌詞データテーブルとを送信する。ＨＤＤコンポ６では、図３に示す画像イメージのうち、後述するように、一部が抜粋されて、ＨＤＤコンポ６の表示部（後述）の表示画面に、切り出された画像イメージが表示される。
【００４９】
ＨＤＤコンポ６は、ＣＤを再生するための装置であり、図示しないがスピーカが接続されている。ＨＤＤコンポ６は、図５に示すように、略直方体形状に形成された本体６ａを有しており、本体６ａの前面には、電源スイッチ７、各種の動作状態やトラック再生中にその歌詞等を表示するための表示部８、音量の大小を調整するための音量ツマミ９および各種の動作状態を設定するための各種スイッチ１０、ＣＤを挿入するためのＣＤ挿入口１１、ＵＳＢ端子１２等が設けられている。また、本体６ａの前面には、表示部８に表示される表示イメージを切り換えるためのイメージ切換スイッチ１３（使用形態は後述）が設けられている。
【００５０】
ＣＤ挿入口１１の本体６ａ内部には、図示しないＩＣチップ読取部２６（後述）が設けられている。ＩＣチップ読取部２６は、ＣＤに装着されたＩＣチップＣａに書き込まれているユニーク情報を読み取るための装置である。ＩＣチップ読取部２６では、ユーザがＩＣチップＣａが装着されたＣＤをＣＤ挿入口１１から挿入すると、ＩＣチップＣａに書き込まれたデータが読み取られるようになっている。なお、ＩＣチップ読取部２６は、本体６ａ前面に設けられていてもよい。
【００５１】
図６は、ＨＤＤコンポ６の内部構成を示す図である。ＨＤＤコンポ６は、図６に示すように、ＨＤＤコンポ６の動作を統括するＣＰＵ１４、各種のデータを格納するメモリ１５およびハードディスク装置１６、ビデオＩ／Ｆ１７、操作入力Ｉ／Ｆ１８、ＤＡＣ（ディジタル−アナログ変換器）１９、音声入力Ｉ／Ｆ２０、読取部Ｉ／Ｆ２１、ネットワークＩ／Ｆ２２、およびＵＳＢＩ／Ｆ２３等を備えており、それぞれバスライン２４で接続されている。
【００５２】
ビデオＩ／Ｆ１７には、例えば液晶表示画面を有する表示部８が接続され、操作入力Ｉ／Ｆ１８には、電源スイッチ９、各種スイッチ１０およびイメージ切換スイッチ１３等が接続されている。ＤＡＣ１９には、外部に配置されるスピーカ２４が接続され、音声入力Ｉ／Ｆ２０には、ＣＤを再生するためのＣＤ再生部２５が接続されている。読取部Ｉ／Ｆ２１には、ＩＣチップ読取部２６が接続され、ネットワークＩ／Ｆ２２には、外部に配されたルータ５が接続されている。ＵＳＢＩ／Ｆ２３には、ＵＳＢ端子１２に外部機器２７が接続された場合、その外部機器２７が接続される。
【００５３】
ＨＤＤコンポ６は、ＣＤショップのパソコン１から送信されるユニーク情報を上記ハードディスク装置１６に記憶する。ＨＤＤコンポ６は、購入したＣＤがリッピングされるときにＣＤのＩＣチップＣａに書き込まれたユニークＩＤおよび例えばユーザが入力するパスワードと、パソコン１から送信されたユニーク情報とを照合し、一致した場合に、ユニーク情報が図７に示すトラックテーブルの形でハードディスク装置１６に記憶される。すなわち、トラックテーブルには、各トラックのトラック番号、タイトル名（曲名）、各トラックの再生時間、およびアルバム名等が格納され、各トラックに対してユニークＩＤおよびパスワードがそれぞれ格納される。
【００５４】
なお、図７に示すトラックテーブルでは、タイトルごとに同一のユニークＩＤおよびパスワードが記憶されるが、これは、１トラックのみ再生されることがあり、その場合にユニーク情報を参照することができるようにしたものである。
【００５５】
ＨＤＤコンポ６は、リッピングされたトラックが再生されるとき、管理サーバ４に対して当該ユニーク情報を送信してアルバム情報の提供を要求する。そして、管理サーバ４からアルバム情報が送信されると、トラックの再生に合わせてアルバム情報を表示部８の表示画面に表示する。このように、トラックが再生されるときに、そのトラックに関係するアルバム情報が同時に表示されることになり、ユーザは、再生されるトラックに関係するアルバム情報を即座に把握することができる。特に、アルバム情報が歌詞のデータである場合、トラックが再生されると同時に歌詞のデータが表示されるので、ユーザは楽曲に合わせて口ずさんだりカラオケの練習をしたりして楽曲を楽しむことができる。
【００５６】
次に、本サービス提供システムにおいて、ＣＤが購入される際の各機器の制御動作について、図８を参照して説明する。なお、ユーザの行動やＣＤの状態等は、厳密にはシステムを構成する機器の制御動作ではないが、図８には、説明の便宜上それらも含めて記載されている。
【００５７】
まず、ユーザがＣＤショップに行き、所望のＣＤを購入する（Ｓ１）。ＣＤショップでは、パソコン１を用いてユニークＩＤおよびそのユニークＩＤに対応するパスワードが生成される（Ｓ２）。より具体的には、ＣＤショップの従業員等がバーコードリーダー（図略）等を用い、ＣＤケース等に印刷されているアルバム番号が読み取られ、従業員等が店舗情報や購入時刻等をパソコン１に手入力することにより購入認証番号が生成され、これらアルバム番号および購入認証番号に基づいてユニークＩＤが生成される。また、ユニークＩＤに基づいてパスワードが生成される。
【００５８】
次いで、購入されたＣＤは、従業員等によってＩＤライタ２にセットされる（Ｓ３）。そして、パソコン１からＩＤライタ２にユニークＩＤが転送されると（Ｓ４）、パソコン１によって転送されたユニークＩＤが、ＩＤライタ２によってＣＤのＩＣチップＣａ（図２参照）に記憶される（Ｓ５）。
【００５９】
次いで、ユニーク情報は、パソコン１における従業員等の操作に基づいて、インターネット３を介して管理サーバ４へ送信される（Ｓ６）。管理サーバ４では、パソコン１から送信されたユニーク情報が受信され、それらはデータベース４ａに記憶される（Ｓ７）。これにより、管理サーバ４では、パソコン１から送信されたユニーク情報に基づいて、ユニークＩＤが記憶されたＣＤがどの店舗でいつ購入されたかを認識できるようになる。
【００６０】
また、ユニーク情報は、パソコン１における従業員等の操作に基づいて、インターネット３を介してＣＤ購入者の自宅等に設置されたＨＤＤコンポ６に送信される（Ｓ８）。ＨＤＤコンポ６では、パソコン１から送信されたユニーク情報が受信され、ハードディスク装置１６に記憶される（Ｓ９）。ユニーク情報がパソコン１からＨＤＤコンポ６に送信されるときの方法は、例えばＤＮＳ（Domain Name System）や電子メール等による方法が用いられる。
【００６１】
このように、ユーザがＣＤショップで購入したＣＤのユニーク情報は、ＣＤメーカの管理サーバ４と、ＣＤを購入したユーザの自宅等のＨＤＤコンポ６とで記憶されることになる。
【００６２】
なお、ユニーク情報を、パソコン１からＨＤＤコンポ６に伝達する方法としては、例えばユーザ（ＣＤ購入者）が携帯電話等を所有しておれば、それを用いて伝達するようにしてもよい。すなわち、図９に示すように、ＣＤショップにおいてユーザが所有する携帯電話等にパソコン１からユニーク情報を転送し（Ｓ１０）、携帯電話等でそれらを記憶する（Ｓ１１）。ユーザは、その携帯電話等を自宅等に持ち帰り、それをＨＤＤコンポ６に専用ケーブル（図略）を用いて例えばＵＳＢ端子１２（図５参照）に接続する。これにより、携帯電話等からＨＤＤコンポ６にユニーク情報が転送され（Ｓ１２）、それがＨＤＤコンポ６に記憶される（Ｓ１３）。
【００６３】
すなわち、ユニーク情報を、パソコン１からＨＤＤコンポ６に伝達する方法としては、インターネット３を経由してもよいし、ユーザが所有する携帯電話等を用いてもよい。あるいは、携帯電話に代えてポータブルデバイスとしての例えばＵＳＢメモリ等を用いてもよい。
【００６４】
次に、ＨＤＤコンポ６でのトラック再生時における、ＨＤＤコンポ６および管理サーバ４の制御動作を図１０に示すシーケンス図を参照して説明する。なお、このシーケンス図に示すＣＤは、ユーザがＣＤショップにおいて購入し、ＩＣチップＣａにユニークＩＤが書き込まれたものであるとする。また、ＨＤＤコンポ６には、ユニーク情報が既に記憶されているものとする。
【００６５】
まず、ＨＤＤコンポ６は、ユーザによって購入されたＣＤがＣＤ挿入口１１に挿入されたか否かを判別する（Ｓ２１）。ＨＤＤコンポ６では、当該ＣＤが挿入されたとき（Ｓ２１：ＹＥＳ）、ＣＤのＩＣチップＣａに書き込まれているユニークＩＤが読み取られる（Ｓ２２）。この読み取りには、ＣＤ挿入口１１の本体６ａ内部に設けられているＩＣチップ読取部２６が用いられる。なお、例えばＨＤＤコンポ６の本体６ａの前面にＩＣチップ読取部が設けられている場合には、ユーザがそのＩＣチップ読取部にＣＤを翳すことによってユニークＩＤが読み取られる。
【００６６】
ＨＤＤコンポ６では、ＩＣチップ読取部２６によってユニークＩＤが読み取られると、読み取られたユニークＩＤがハードディスク装置１６内に記憶されているユニーク情報（図８のステップＳ８，Ｓ９においてＣＤショップのパソコン１から送信され、記憶されたもの）と一致するか否かの照合が行われる（Ｓ２３）。
【００６７】
読み取られたユニークＩＤがハードディスク装置１６に記憶されているユニークＩＤと一致する場合には（Ｓ２４：ＹＥＳ）、トラックごとにＣＤのリッピングが行われ（Ｓ２５）、図７のトラックテーブルに示すように、トラックごとにユニーク情報（ユニークＩＤとパスワード）が記憶される（Ｓ２６）。すなわち、ステップＳ２４において、ユニークＩＤが一致することを判別するのは、トラックテーブルを作成するか否かを決定するためである。
【００６８】
一方、読み取られたユニークＩＤがハードディスク装置１６に記憶されているユニークＩＤと一致しない場合には（Ｓ２４：ＮＯ）、ＣＤのリッピングが行われ（Ｓ２７）、ユーザによってトラックの再生要求があると、通常の当該トラックの再生が行われる（Ｓ２８）。この場合、そのＣＤはユーザが購入したものではないことがわかるので、ＣＤのリッピングのみを行い、後述するようなアルバム情報の要求を行うことはない。
【００６９】
次いで、全てのトラックのリッピングが終了したか否かが判別され（Ｓ２９）、全てのトラックのリッピングが終了した場合（Ｓ２９：ＹＥＳ）、ＨＤＤコンポ６が再生待機状態となり、ＨＤＤコンポ６では、ユーザによってトラックの再生要求がされたか否かの判別が行われる（Ｓ３０）。なお、この判別は、割り込み的に行われるものであり、トラックの再生要求がされなければ、ステップＳ３０の処理が行われ続けるというものではない。
【００７０】
ＨＤＤコンポ６では、トラックの再生要求がされたと判別された場合（Ｓ３０：ＹＥＳ）、トラックテーブル（図７参照）に記憶され、再生要求がされたトラックのユニーク情報が読み出される。そして、読み出されたユニーク情報と、再生要求がされたトラックのトラック番号とが、インターネット３を介して管理サーバ４に送信される（Ｓ３１）。
【００７１】
管理サーバ４では、ＨＤＤコンポ６から送信されたユニークＩＤに基づいて、ＨＤＤコンポ６側で再生要求のあったトラックを含むＣＤが特定される（Ｓ３２）。管理サーバ４のデータベース４ａには、上述したように、販売される全てのＣＤのアルバム情報等の各種情報が記憶されており、ＨＤＤコンポ６から送信されたユニークＩＤによって、再生要求のあったトラックを含むＣＤ、すなわち、ユーザによって購入されたＣＤが特定されるようになっている。
【００７２】
さらに、管理サーバ４では、ＨＤＤコンポ６から送信されるトラック番号によって、該当するトラックの画像イメージを含むイメージファイルが特定される（Ｓ３３）。このイメージファイルに含まれる画像イメージは、歌詞のデータと背景画像のデータとを含むものである。
【００７３】
管理サーバ４では、ＣＤとトラックのイメージファイルとが特定されると、アルバム情報がＨＤＤコンポ６に送信される（Ｓ３４）。アルバム情報としては、まず、画像イメージ（図３参照）と歌詞データテーブル（図４参照）とが、ＨＤＤコンポ６に送信される。この場合、ＣＤの全てのトラックの画像イメージが送信されてもよいし、再生しようとしているトラックの画像イメージのみが送信されてもよい。また、歌詞のデータには、トラックが例えば外国の歌である場合、その対訳のデータが含まれてもよい。
【００７４】
その後、管理サーバ４では、ＣＤのアルバム情報であるアルバムジャケットの画像データ、ライナーノーツ等の文字データ等がＨＤＤコンポ６に順次送信される。なお、これらのデータの送信される順番は画像イメージの後であれば特に限定されない。また、送信の順番や送信の有無はユーザによって設定されるようにしてもよい。また、アルバムジャケットの画像データやライナーノーツ等の文字データ等は、トラックごとに異なるものではない場合、一度ＨＤＤコンポ６に送信すれば、その後は送信しないようにしてもよい。
【００７５】
画像イメージがアルバムジャケットやライナーノーツ等より優先されて管理サーバ４からＨＤＤコンポ６に送信されるのは、画像イメージに含まれる歌詞データがトラックの再生と同時に表示されると、アルバムジャケット等に比べ、ユーザが楽曲をより楽しむことができるからである。
【００７６】
ＨＤＤコンポ６では、トラックが再生されるとともに、管理サーバ４から送信された画像イメージの一部が抜粋されて、図１１に示すように、表示部８に表示される（Ｓ３５）。この場合、ＨＤＤコンポ６では、文字の大きさが小さすぎるとユーザが見づらいため、表示部８の表示画面の大きさに対する文字の大きさが考慮されて表示される。例えば、図１１によると、表示部８の上半分にトラック名（８ａ参照）と、当該トラックの再生時間（８ｂ参照）および再生経過時間（８ｃ参照）と、それらを表すゲージ（８ｄ参照）とが表示され、表示部８の下半分に歌詞のデータを含む画像イメージの一部が表示される。なお、歌詞データは、トラックの再生が進行するにしたがって次の画像イメージがスクロールされながら順次表示される。
【００７７】
次いで、ＨＤＤコンポ６では、歌詞のデータの表示中に、イメージ切替スイッチ１３（図５または図１１参照）がオン操作されたか否かの判別が行われる（Ｓ３６）。イメージ切替スイッチ１３がオン操作されたと判別された場合（Ｓ３６：ＹＥＳ）、歌詞カードのデータに代えて、歌詞カード以外のアルバム情報が表示される（Ｓ３７）。例えばアルバムジャケットの画像データ、ライナーノーツの文字データ等が順次切り替えられて表示される。なお、イメージ切替スイッチ１３がオン動作された場合、歌詞カード以外のアルバム情報の一覧がサムネイル表示され、ユーザがそれらの一つを選択できるようにし、選択されたアルバム情報が表示されるようにしてもよい。
【００７８】
ＨＤＤコンポ６では、全てのトラックの再生が終了したか否かの判別が行われ（Ｓ３８）、全てのトラックの再生が終了していない場合（Ｓ３８：ＮＯ）、ステップＳ３１に戻り、次のトラックの再生が行われる。次のトラックの再生時には、そのトラックに対応する歌詞のデータが管理サーバ４から送られ、表示部８に表示される。
【００７９】
全てのトラックの再生が終了した場合（Ｓ３８：ＹＥＳ）、トラックに関する歌詞データを含む画像イメージが破棄される（Ｓ３９）。これは、ハードディスク装置１６の容量を考慮した処理である。なお、ハードディスク装置１６の容量に余裕があるのであれば、画像イメージを破棄しないでハードディスク装置１６に残しておき、次回の再生時に利用されてもよい。
【００８０】
本実施形態によれば、ユーザがＣＤを購入すると、購入したＣＤに基づいてユニーク情報が生成され、生成されたユニーク情報が管理サーバ４およびＨＤＤコンポ６に送信される。ＨＤＤコンポ６では、購入ＣＤに記憶されたユニークＩＤとパソコン１から送信されたユニークＩＤが照合され、ユニーク情報が管理サーバ４に送信される。管理サーバ４では、パソコン１から送信されたユニーク情報とＨＤＤコンポ６から送信されたユニーク情報とが照合され、一致すれば、当該ＣＤのアルバム情報が管理サーバ４から送信され、トラックの再生と同時にＨＤＤコンポ６に歌詞等の画像イメージが表示される。これにより、ユーザは、情報表示サービスを享受することができる。
【００８１】
このように、ユーザがＣＤを購入したときのみに生成されるユニーク情報が各機器で照合されることにより、ユーザは情報表示サービスを享受することができるので、情報表示サービスを享受したいと思うユーザは、ＣＤを積極的に購入しようとする。したがって、ＣＤの販売の促進化を図ることができる。
【００８２】
また、例えばユーザがＣＤを購入し、それを他人に貸与した場合、他人のＨＤＤコンポには、ＣＤショップからユニーク情報が送信されないので、他人のＨＤＤコンポで、購入したＣＤに記憶されるユニークＩＤを読み取ったとしても、ユニークＩＤが照合されることがないので、ＣＤの購入者ではない他人は情報表示サービスを享受することができない。
【００８３】
また、他人は、パスワードを知らなかったり、偽のパスワードを使用したりした場合、または購入したＣＤ自体がない場合には、ＨＤＤコンポにおいてユニーク情報が一致することがないので、情報表示サービスを享受することができない。したがって、ＣＤを購入したユーザとの差別化を図ることができる。
【００８４】
ところで、上記した実施形態では、ＨＤＤコンポ６が直接、インターネット３に接続され、ＣＤショップのパソコン１からインターネット３を介してＨＤＤコンポ６にユニーク情報を送信する構成について説明したが、現在では、一般家庭内にローカルエリアネットワーク（ＬＡＮ）が構成され、ＨＤＤコンポ６がＬＡＮを介してインターネット３に接続される構成となっている場合がある。
【００８５】
このような場合には、一般に、図１２に示すように、自宅側にもローカルエリアネットワーク３２（以下、単に「ＬＡＮ３２」という。）内の通信を管理するパソコン３１が設けられ（以下、このパソコン３１を「自宅側パソコン３１」といい、ＣＤショップ側のパソコン１を「店舗側パソコン１」という。）、ＣＤショップの店舗側パソコン１から送信されるユニーク情報を自宅側パソコン３１で受信し、その自宅側パソコン３１からＬＡＮ３２に接続されているＨＤＤコンポ６にユニーク情報を転送する構成が採用される。
【００８６】
すなわち、図１２に示す構成では、自宅側の構成としてインターネット３にルータ５に接続されたＬＡＮ３２と、そのＬＡＮ３２に接続された自宅側パソコン３１と、例えば、２台のＨＤＤコンポ（第１ＨＤＤコンポ６Ａおよび第２ＨＤＤコンポ６Ｂ）とによって構成されている。なお、図１２では、ＨＤＤコンポの数を２台としているが、ＨＤＤコンポの数は１台でも３台以上でもよい。
【００８７】
自宅側パソコン３１は、図示しないが、制御動作を統合するＣＰＵ、各種データを記憶するメモリおよびハードディスク装置等を有しており、自宅側パソコン３１並びに第１および第２ＨＤＤコンポ６Ａ，６Ｂは、例えばＤＬＮＡ（Digital Living Network Alliance）によって相互に通信が可能とされている。なお、自宅側パソコン３１は、例えばＣＤドライブを備え、ＣＤドライブを用いてＣＤを再生させることができるものでもよい。
【００８８】
上記構成によると、店舗側パソコン１では、ユニーク情報を生成した後、生成されたユニーク情報がインターネット３、ルータ５およびＬＡＮ３２を介して自宅側パソコン３１に送信される（すなわち、図８のステップＳ８，Ｓ９に示したユニーク情報の送信先が、ＨＤＤコンポに代えて自宅側パソコンになる。）。この場合、例えばＤＮＳ（Domain Name System）を用いてユニーク情報を自宅側パソコン３１に送信するようにしてもよく、電子メール等にユニーク情報を添付して送信するようにしてもよい。
【００８９】
自宅側パソコン３１では、店舗側パソコン１から送信されたユニーク情報がハードディスク装置（図略）に記憶される。そして、自宅側パソコン３１では、ＬＡＮ３２上に接続されたＨＤＤコンポ（図１２では、第１ＨＤＤコンポ６Ａおよび第２ＨＤＤコンポ６Ｂ）に対してユニーク情報が転送される。
【００９０】
この場合、ＨＤＤコンポによっては、例えば表示部そのものがなく、ＣＤのアルバム情報を表示させることはできないものも存在する。そのようなＣＤのアルバム情報を表示させることができないＨＤＤコンポでは、情報表示サービスを享受できない。したがって、自宅側パソコン３１では、そのような事情を考慮して以下に示すような処理を行い、情報表示サービスを享受できるＨＤＤコンポのみにユニーク情報を転送するようにしている。
【００９１】
図１３は、自宅側パソコン３１がＬＡＮ３２上にある第１ＨＤＤコンポ６Ａと第２ＨＤＤコンポ６Ｂとにユニーク情報を転送するときの制御動作を示すシーケンス図である。以下では、第１ＨＤＤコンポ６Ａは情報表示サービスを享受できる一方、第２ＨＤＤコンポ６Ｂは情報表示サービスを享受できないものとして説明する。
【００９２】
自宅側パソコン３１は、店舗側パソコン１から購入したＣＤのユニーク情報を既に受信し、ハードディスク装置（図略）に記憶しているとする（Ｓ４１）。自宅側パソコン３１では、ＬＡＮ３２内に存在する機器であるＨＤＤコンポが検出される（Ｓ４２）。この検出には、例えばＵＰｎＰ（Universal Plug and Play）といったネットワークプロトコルが用いられて行われる。
【００９３】
自宅側パソコン３１は、ＬＡＮ３２内に第１ＨＤＤコンポ６Ａと第２ＨＤＤコンポ６Ｂとが存在していると検出した場合、各ＨＤＤコンポ６Ａ，６Ｂに対して情報表示サービスを享受できるか否かをそれぞれ問い合わせる（Ｓ４３）。
【００９４】
第１ＨＤＤコンポ６Ａでは、自宅側パソコン３１からの問い合わせに対して情報表示サービスを享受できることの返答が行われる（Ｓ４４）。一方、第２ＨＤＤコンポ６Ｂでは、自宅側パソコン３１からの問い合わせに対して情報表示サービスを享受できないことの返答が行われる（Ｓ４５）。この場合、自宅側パソコン３１は、第２ＨＤＤコンポ６Ｂからの返答が所定時間経過してもない場合に、第２ＨＤＤコンポ６Ｂが情報表示サービスを享受できない機器であると認識するようにしてもよい。
【００９５】
自宅側パソコン３１は、上記返答結果に基づいて、第１ＨＤＤコンポ６Ａのみが情報表示サービスを享受できるため、第１ＨＤＤコンポ６Ａに対して、ハードディスク装置（図略）に記憶されているユニーク情報を読み出してそれを転送する（Ｓ４６）。ユニーク情報が転送された第１ＨＤＤコンポ６Ａは、ハードディスク装置１６にユニーク情報を記憶する（Ｓ４７）。この場合、ユニークＩＤとパスワードとは、関連付けて記憶される。
【００９６】
これにより、第１ＨＤＤコンポ６Ａは、情報表示サービスを享受できる準備が整うことになる。すなわち、購入されたＣＤがリッピングされ、再生されると、管理サーバ４から送信される画像イメージ等を表示部８に表示させることができる。一方、自宅側パソコン３１は、自宅側パソコン３１からの問い合わせに対して情報表示サービスを享受できないことの返答を行った第２ＨＤＤコンポ６Ｂに対しては、ユニーク情報を送信することはない。したがって、第２ＨＤＤコンポ６Ｂは、情報表示サービスを享受することはできない。
【００９７】
上記のように、ＣＤ購入者の家庭内にＬＡＮ３２が設けられ、そのＬＡＮ３２に第１ＨＤＤコンポ６Ａや第２ＨＤＤコンポ６Ｂ等が接続される構成でも、店舗側パソコン１から送信されるユニーク情報を自宅側パソコン３１を経由して第１ＨＤＤコンポ６Ａおよび第２ＨＤＤコンポ６Ｂが受信することができるので、図１に示す構成（第１の実施形態）と同様の効果を奏することができる。
【００９８】
また、図１２に示す構成では、自宅側パソコン３１によって情報表示サービスを享受できるＨＤＤコンポにだけユニーク情報が転送されるので、店舗側パソコン１からのユニーク情報が不必要にＣＤ購入者の家庭内のＨＤＤコンポに送信されることもない。
【００９９】
ところで、上記したサービス提供システムでは、自宅側パソコン３１がノートパソコンのような可搬型のパソコンの場合、図１５に示すように、ＣＤ購入者が自宅側パソコン３１を自宅のＬＡＮ３２から外し、他のＬＡＮ３３（例えば他人宅に構築されたＬＡＮ）に接続してそのＬＡＮ３３に接続されているＨＤＤコンポで購入したＣＤの楽曲を楽しむ場合が考えられる。なお、図１５では、管理サーバ４等の記載を省略している。
【０１００】
自宅側パソコン３１は、新たにＬＡＮに接続されると、初期動作としてそのＬＡＮに接続されているＨＤＤコンポを検出し、そのＨＤＤコンポにユニーク情報を送信するので、ＬＡＮ３２からＬＡＮ３３に接続が切り換えられると、図１３に示したように、当該ＬＡＮ３３内に接続された第３ＨＤＤコンポ６Ｃ（情報表示サービスを享受可能とする。）を検出し、その第３ＨＤＤコンポ６Ｃに対してユニーク情報を転送する。そして、その第３ＨＤＤコンポ６Ｃで、購入したＣＤをリッピングすると、第３ＨＤＤコンポ６Ｃは、管理サーバ４にアルバム情報の要求を行うので、ＣＤ購入者は自宅側パソコン３１を友人宅のＬＡＮ３３に移動させることにより、友人宅においても第３ＨＤＤコンポ６Ｃを用いて情報表示サービスを享受することができる。
【０１０１】
しかしかながら、その後、ＣＤ購入者が自宅側パソコン３１を自宅に持ち帰り、ＬＡＮ３２に戻した場合、友人宅には第３ＨＤＤコンポ６Ｃが情報表示サービスを享受できる状態で残ることになる。すなわち、ＣＤ購入者ではない友人又は第三者が第３ＨＤＤコンポ６Ｃを用いてＣＤの楽曲とともに情報表示サービスを享受できることになる。
【０１０２】
このことは、正規に購入したＣＤのユニーク情報を記憶した自宅側パソコン３１を、他のＬＡＮ３３やさらに他のＬＡＮ３４（図５（ｃ）参照）に接続していくと、他のＬＡＮ３３や他のＬＡＮ３４に接続された第３および第４ＨＤＤコンポ６Ｃ，６Ｄに、ユニーク情報が記憶されていくことになり、情報表示サービスを享受することのできるＨＤＤコンポが際限なく増えることを意味する。
【０１０３】
ＣＤ製造者若しくはＣＤ販売者は、ユーザのＣＤの購買意欲を向上させるために、ＣＤ購入の特典として情報表示サービスを提供するのであるから、上記のような構成によって、正規にＣＤを購入していない者が特典を享受できる環境が増大するのは、ＣＤ製造者若しくはＣＤ販売者にとって好ましくなく、ユーザにとっても、特典享受において特典ＣＤを購入した者と購入していない者とに不公平が生じることから好ましくない。
【０１０４】
そこで、以下に示すサービス提供システムでは、自宅側パソコン３１にＬＡＮ上で接続されているＨＤＤコンポのみに情報表示サービスを享受することのできるようにし、ＣＤ購入ユーザの優位性を維持するようにしている。すなわち、情報表示サービスを享受することのできるＨＤＤコンポは、ＬＡＮ上に自宅側パソコン３１（ＣＤを実際に購入したユーザの所有するパソコン）が接続されている場合に限られるようにしている。
【０１０５】
通常、ＬＡＮが構築される場合、例えばＩＳＰ（Internet Services Provider）によって当該ＬＡＮ固有のグローバルＩＰアドレスが提供される。ＬＡＮでは、提供される１つのグローバルＩＰアドレスに対応して１つのホスト名が設定される。ところが、グローバルＩＰアドレスは、ＤＨＣＰ（Dynamic Host Configuration Protocol）等によって変更されることがある。
【０１０６】
以下に示すサービス提供システムでは、グローバルＩＰアドレスが変更されても固有のホスト名が維持される、例えばダイナミックＤＮＳ（Domain Name System）といったシステム（以下、「ホスト名保持システム」という。）を採用している。
【０１０７】
すなわち、ホスト名保持システムでは、図１６に示すように、例えば管理サーバ４においてグローバルＩＰアドレスとホスト名とが対応してホスト名対応テーブルの形で記憶されている。図１６（ａ）の例では、ＬＡＮ３２に対して、グローバルＩＰアドレス「１１．○○．○○」とホスト名「ａｂｃ」とが対応して記憶されている。
【０１０８】
ここで、グローバルＩＰアドレスに変更があると、ホスト名対応テーブルが更新され、変更されたグローバルＩＰアドレスとホスト名とが対応して記憶される。例えば、グローバルＩＰアドレスが「１１．○○．○○」から「２２．○○．○○」に変更されると（図１６（ｂ）参照）、変更されたグローバルＩＰアドレス「２２．○○．○○」とホスト名「ａｂｃ」とが対応して記憶される。なお、ＬＡＮ上の機器から管理サーバ４にデータが送信されるとき、グローバルＩＰアドレスは、管理サーバ４で検出されるものとする。
【０１０９】
また、以下の説明では、ホスト名保持システムは、管理サーバ４側で準備し、ＬＡＮ側にホスト名保持システムによるサービスを提供するものとする。また、ホスト名保持システムは、管理サーバ４が提供することに代えて、ＩＳＰによって提供されてもよい。
【０１１０】
図１７は、ホスト名保持システムが採用されるときの自宅側パソコン３１および管理サーバ４の初期設定動作を示すシーケンス図である。この場合、自宅側パソコン３１は、ＬＡＮ３２に接続されており、未だユニーク情報を取得していない状態とする。
【０１１１】
まず、自宅側パソコン３１では、自宅のＬＡＮ３２に接続されると（Ｓ５１）、ＬＡＮ３２上に他の機器が存在するか否かが検出される（Ｓ５２）。例えば他の機器として第１ＨＤＤコンポ６Ａが存在する場合（Ｓ５２：ＹＥＳ）、既に第１ＨＤＤコンポ６Ａでホスト名が登録済みであるか否かを第１ＨＤＤコンポ６Ａに問い合わせる（Ｓ５３）。
【０１１２】
ホスト名保持システムでは、上記したように、構築されたＬＡＮごとに一つのホスト名が決められており、ホスト名は、ＬＡＮ内に接続されたいずれかの機器（本実施形態では自宅側パソコン３１または第１ＨＤＤコンポ６Ａ）もしくは全ての機器が登録するようになっている。
【０１１３】
第１ＨＤＤコンポ６Ａでは、ホスト名が登録されている場合、自宅側パソコン３１の問い合わせに対する返答として、ホスト名のデータが自宅側パソコン３１に転送される。自宅側パソコン３１では、転送されたホスト名のデータがハードディスク装置１６に記憶され、これにより、ホスト名が取得される（Ｓ５４）。
【０１１４】
一方、ステップＳ５２において、ＬＡＮ３２上に他の機器が存在しない場合、自宅側パソコン３１でホスト名が設定される（Ｓ５５）。すなわち、ユーザが任意のホスト名を決定し、これを自宅側パソコン３１に入力することにより、ホスト名が設定される。
【０１１５】
次いで、自宅側パソコン３１は、管理サーバ４に対して設定されたホスト名を管理サーバ４において登録するよう要求する（Ｓ５６）。この場合、自宅側パソコン３１は、接続されているＬＡＮ３２のグローバルＩＰアドレスをホスト名とともに通知する。なお、直接グローバルＩＰアドレスを通知せず、管理サーバ４において送信元のグローバルＩＰアドレスを検出することにより、グローバルＩＰアドレスを認識するようにしてもよい。
【０１１６】
管理サーバ４では、グローバルＩＰアドレスに基づいて、ホスト名の登録要求を通知してきた自宅側パソコン３１が接続されたＬＡＮ３２が認識される。そして、自宅側パソコン３１からのホスト名登録要求に対して、要求されたホスト名と同じ名前のホスト名が別のグローバルＩＰアドレスとともに既に登録済みであるか否かが照合される（Ｓ５７）。
【０１１７】
ステップＳ５７において自宅側パソコン３１から登録要求されてきたホスト名が既に登録されているホスト名と重複している場合（Ｓ５７：ＮＯ）、管理サーバ４は、自宅側パソコン３１に異なる名前のホスト名を設定するよう通知する（Ｓ５８）。自宅側パソコン３１では、その通知に応じて異なる名前のホスト名をユーザが再度設定し（Ｓ５９）、これに基づいて再度登録要求が行われる（Ｓ５６）。
【０１１８】
一方、ステップＳ５７において自宅側パソコン３１から登録要求されたホスト名が重複していない場合（Ｓ５７：ＮＯ）、すなわち、新規のホスト名として登録可能な場合、管理サーバ４は、新規なホスト名をグローバルＩＰアドレスとともに登録する（Ｓ６０）。例えば、図１６に示したように、ＬＡＮ３２に対して、グローバルＩＰアドレス「１１．○○．○○」とホスト名「ａｂｃ」とが対応してホスト名対応テーブルの形で登録される。このように、管理サーバ４では、ホスト名が重複していないことが検出され、ＬＡＮごとに固有のホスト名が登録される。
【０１１９】
次いで、管理サーバ４は、自宅側パソコン３１に、グローバルＩＰアドレスに変更があった場合に管理サーバ４側にそのことを通知する処理を行うアプリケーションソフトウェア（以下、「変更通知ソフト」という。）を送信する（Ｓ６１）。この変更通知ソフトは、例えば「Ｄｉｃｅ」といったフリーソフトウェアでよい。なお、この変更通知ソフトは、予め工場出荷時等に自宅側パソコン３１に搭載されていてもよく、ユーザが所定のサイトからインターネット３を介してダウンロードしてもよい。
【０１２０】
ここで、例えばＤＨＣＰ等によって自宅側パソコン３１においてグローバルＩＰアドレスに変更が生じた場合（Ｓ６２：ＹＥＳ）、自宅側パソコン３１では、変更通知ソフトによって、グローバルＩＰアドレスに変更が生じたことが管理サーバ４に通知される（Ｓ６３）。
【０１２１】
管理サーバ４では、自宅側パソコン３１からグローバルＩＰアドレスに変更が生じたことの通知を受け取ると、図１６に示したホスト名対応テーブルを更新する（Ｓ６４）。すなわち、ホスト名は維持したままで、変更のあったグローバルＩＰアドレスを書き換える。例えば、ＬＡＮ３２のグローバルＩＰアドレスが「１１．○○．○○」から「２２．○○．○○」に変更になった場合、管理サーバ４では、グローバルＩＰアドレス「２２．○○．○○」とホスト名「ａｂｃ」とが関連付けて新たに記憶される（図１６（ｂ）参照）。
【０１２２】
このように、自宅側パソコン３１では、変更通知ソフトが常駐されるので、ＬＡＮ３２においてグローバルＩＰアドレスの変更が生じると、それが管理サーバ４に通知され、管理サーバ４においてホスト名対応テーブルが更新される。
【０１２３】
なお、図１７に示す自宅側パソコン３１の制御動作は、ＬＡＮ３２上に存在する第１ＨＤＤコンポ６Ａによって行われてもよい。
【０１２４】
次に、自宅側パソコン３１での初期設定動作が終了した後、ＣＤが購入される際の各機器の制御動作（図８に示すシーケンス図に対応）について、図１８に示すシーケンス図を参照して説明する。
【０１２５】
ユーザがＣＤを購入する際の各機器の制御動作は、図８に示したシーケンス図による制御動作とほぼ同様である。主として異なる点について説明すると、ＣＤショップの店舗側パソコン１では、ユニーク情報を管理サーバ４に送信するとき、ステップＳ６Ａに示すように、自宅側パソコン３１が接続されているＬＡＮ３２のホスト名のデータを、ユニーク情報とともに送信する。この場合、自宅側パソコン３１が接続されているＬＡＮ３２のホスト名は、ユーザが事前に知っており、従業員等を通じて店舗側パソコン１に入力してもらう必要がある。
【０１２６】
管理サーバ４では、ステップＳ７Ａにおいて、店舗側パソコン１から送信された、ユニーク情報とホスト名とを対応させて記憶する。例えば、管理サーバ４では、図１８に示すように、ユニークＩＤ「Oxdfe13ad」と、パスワード「Offcfcf」と、ホスト名「ａｂｃ」とが対応付けられてホスト名対応テーブルの形で記憶される。なお、図１８に示すホスト名対応テーブルは、図１６に示したホスト名対応テーブルに、さらにユニークＩＤとパスワードとが追加されたものである。
【０１２７】
なお、図１８では、ステップＳ８Ａにおいて店舗側パソコン１からユニーク情報を送信する送信先が自宅側パソコン３１となっており（図８ではＨＤＤコンポ）、自宅側パソコン３１で店舗側パソコン１から送信されたユニーク情報が記憶される（Ｓ９Ａ）。
【０１２８】
図１９は、ホスト名保持システムが採用される場合の、トラック再生時における第１ＨＤＤコンポ６Ａと管理サーバ４との制御動作を示すシーケンス図である。
【０１２９】
なお、この制御動作では、自宅側パソコン３１は、第１ＨＤＤコンポ６Ａとともに、ＬＡＮ３２上に接続されている状態とする。また、第１ＨＤＤコンポ６Ａには、自宅側パソコン３１から転送されたユニーク情報が記憶されているとし、ＬＡＮ３２のホスト名も登録されているとする。図１９に示す制御動作は、図１０のシーケンス図に示した制御動作を一部変形させたものであり、以下では、主として異なる点を説明する。
【０１３０】
ユーザが購入したＣＤを第１ＨＤＤコンポ６Ａに挿入すると、第１ＨＤＤコンポ６Ａでリッピングが行われるが、このＣＤ挿入からリッピング動作に関する制御は、図１０と同様である（図１０のＳ２１〜２８参照）。
【０１３１】
ＣＤのリッピング動作が完了し、図１９のステップＳ７１においてトラック再生の操作があると判別されれば（Ｓ７１：ＹＥＳ）、第１ＨＤＤコンポ６Ａでは、管理サーバ４に対して、ユニーク情報、トラック番号およびホスト名が送信される（Ｓ７２）。
【０１３２】
管理サーバ４では、第１ＨＤＤコンポ６Ａからユニーク情報、トラック番号およびホスト名が送信されると、送信元のグローバルＩＰアドレス（ＬＡＮ３２のグローバルＩＰアドレス）および送信されたホスト名の組み合わせが、予め管理サーバ４側で登録されているグローバルＩＰアドレスおよびホスト名の組み合わせ（図１６参照）と一致しているか否かが照合される（Ｓ７３）。
【０１３３】
この場合、第１ＨＤＤコンポ６Ａは、ＬＡＮ３２に接続されることによりＬＡＮ３２固有のホスト名を有しており、図１７のステップＳ６０に示したように、ホスト名は、グローバルＩＰアドレスととともに、管理サーバ４に登録されているため、エラーが生じることはない。
【０１３４】
ところが、後述するように、ＨＤＤコンポによっては、記憶されているグローバルＩＰアドレスおよびホスト名の組み合わせが、管理サーバ４に登録されているグローバルＩＰアドレスおよびホスト名の組み合わせと異なることがあり、このような場合には、管理サーバ４でエラーと判別し、当該ＨＤＤコンポには情報表示サービスを提供しない。
【０１３５】
ステップＳ７３における照合の結果、グローバルＩＰアドレスおよびホスト名の組み合わせが管理サーバ４に登録されているものと一致する場合、ユニーク情報およびホスト名の組み合わせが、予め管理サーバ４で登録されているユニーク情報およびホスト名の組み合わせ（図１８のホスト名対応テーブル参照）と一致しているかが照合される（Ｓ７４）。この場合、管理サーバ４には、図１８のステップＳ６Ａ，Ｓ７Ａおよびホスト名対応テーブルに示したように、ユニーク情報とホスト名とは関連付けて登録されているので、エラーが生じることはない。
【０１３６】
ところが、店舗側パソコン１から管理サーバ４に送信されたホスト名（図１８のステップＳ６Ａ参照）と異なるホスト名のＬＡＮに接続されたＨＤＤコンポから、アルバム情報が管理サーバ４に要求されることがあるが、このような場合は、管理サーバ４でエラーと判別し、当該ＨＤＤコンポには情報表示サービスを提供しない。
【０１３７】
ステップＳ７４における照合の結果、ユニーク情報およびホスト名の組み合わせが管理サーバ４に登録されているものと一致している場合、第１ＨＤＤコンポ６Ａから送信されたユニークＩＤに基づいてＣＤが特定され（Ｓ７５）、トラック番号によって、該当するトラックの画像イメージを含むイメージファイルが特定され（Ｓ７６）、アルバム情報としてトラックの歌詞のデータと画像データとを含む画像イメージが第１ＨＤＤコンポ６Ａに送信される（Ｓ７７）。
【０１３８】
これにより、第１ＨＤＤコンポ６Ａでは、トラックが再生されるとき、歌詞データを含む画像イメージも表示部８に同時に表示される（Ｓ７８）。したがって、情報表示サービスを享受することができる。
【０１３９】
このように、ホスト名保持システムが用いられ、グローバルＩＰアドレスおよびホスト名の組み合わせが管理サーバ４に登録されているものと照合されることにより、トラック再生時の情報表示サービスの提供の可否が決定される。
【０１４０】
次に、図２０に示すように、自宅側パソコン３１が、ＬＡＮ３２に接続された状態（図２０（ａ）参照）から例えば友人宅のＬＡＮ３３に接続された状態（図２０（ｂ）参照）に移行した場合の、各機器の制御動作を、図２１に示すシーケンス図を参照して説明する。なお、図２０では、インターネット３等が省略されている。
【０１４１】
自宅側パソコン３１は、図２０（ａ）のＬＡＮ３２に接続された状態で、第１ＨＤＤコンポ６Ａにユニーク情報を転送しており、第１ＨＤＤコンポ６ＡにおいてＣＤを購入したユーザが情報表示サービスを享受できているとする。この場合、ＬＡＮ３２のグローバルＩＰアドレスは例えば「１１．○○．○○」、ホスト名は「ａｂｃ」とする。一方、ＬＡＮ３３に接続されている第３ＨＤＤコンポ６Ｃには、店舗側パソコン１からユニーク情報は送信されていないものとし、ＬＡＮ３３のグローバルＩＰアドレスは例えば「２２．○○．○○」、ホスト名は「ｄｅｆ」とする。
【０１４２】
自宅側パソコン３１が、この図２０（ａ）に示すＬＡＮ３２に接続された状態から、図２０（ｂ）に示すＬＡＮ３３に接続された状態に移行されたとすると、自宅側パソコン３１では、ＬＡＮ３２から他のＬＡＮ３３に接続が変更されたことから、グローバルＩＰアドレスが変更になったことが変更通知ソフトによって検出される（Ｓ８１）。自宅側パソコン３１では、グローバルＩＰアドレスが変更になったことが管理サーバ４に通知される（Ｓ８２）。
【０１４３】
管理サーバ４では、自宅側パソコン３１からの通知に基づいて、ホスト名対応テーブルが更新される（Ｓ８３）。すなわち、グローバルＩＰアドレスのみが変更され、ホスト名は保持される。具体的には、本来、自宅側パソコン３１のグローバルＩＰアドレスが「１１．○○．○○」であったが、自宅側パソコン３１がＬＡＮ３３に接続されたことにより例えばＬＡＮ３３のグローバルＩＰアドレス「２２．○○．○○」に変更される。すなわち、管理サーバ４では、グローバルＩＰアドレスとして「２２．○○．○○」が記憶され、ホスト名は、当初の「ａｂｃ」がそのまま記憶される。
【０１４４】
次いで、自宅側パソコン３１では、ＬＡＮ３３に接続されている他の機器を検出する（Ｓ８４）。図２０（ｂ）の構成によると、ＬＡＮ３３のホスト名「ｄｅｆ」が記憶されている第３ＨＤＤコンポ６Ｃが検出される。
【０１４５】
自宅側パソコン３１では、ハードディスク装置１６に記憶されているＬＡＮ３２のホスト名「ａｂｃ」が第３ＨＤＤコンポ６Ｃに記憶されているホスト名「ｄｅｆ」と異なるので、第３ＨＤＤコンポ６Ｃに対してホスト名「ａｂｃ」のデータを転送する（Ｓ８５）。第３ＨＤＤコンポ６Ｃでは、既にホスト名「ｄｅｆ」が設定されているため、このホスト名とは別に、一時的なテンポラリホスト名として「ａｂｃ」が記憶される（Ｓ８６）。すなわち、テンポラリホスト名は、自宅側パソコン３１がＬＡＮ３３に接続されている場合のみ、第３ＨＤＤコンポ６Ｃで用いられるものである。
【０１４６】
第３ＨＤＤコンポ６Ｃおよび自宅側パソコン３１では、第３ＨＤＤコンポ６Ｃにおいてテンポラリホスト名が記憶されたことをトリガにして、定期的な通信が開始される（Ｓ８７）。この定期通信は、自宅側パソコン３１がＬＡＮ３３に接続されているか否かを第３ＨＤＤコンポ６Ｃ側で確認するために行われるものである。
【０１４７】
すなわち、本来、第３ＨＤＤコンポ６Ｃでは、ＬＡＮ３３に接続されているために、ホスト名「ｄｅｆ」を使用するはずであるが、自宅側パソコン３１がＬＡＮ３３に接続されたために一時的なテンポラリホスト名「ａｂｃ」が使用される。そして、自宅側パソコン３１がＬＡＮ３３に接続されなくなると、本来のＬＡＮ３３のホスト名「ｄｅｆ」に戻す必要があるからでる。
【０１４８】
第３ＨＤＤコンポ６Ｃと自宅側パソコン３１との間で定期通信が行われ、両者の通信が確立しているとき、第３ＨＤＤコンポ６Ｃにおいて、購入されたＣＤがリッピングされ（Ｓ８８）、トラック再生の要求がなされると（Ｓ８９：ＹＥＳ）、ユニーク情報、トラック番号、およびテンポラリホスト名が管理サーバ４に送信される（Ｓ９０）。このように、第３ＨＤＤコンポ６Ｃでは、ＬＡＮ３３の構築時に登録されたホスト名ではなく、自宅側パソコン３１から転送されたテンポラリホスト名が管理サーバ４に送信される。
【０１４９】
管理サーバ４では、第３ＨＤＤコンポ６Ｃから送信されたテンポラリホスト名およびグローバルＩＰアドレスの組み合わせが、ホスト名対応テーブルに登録されているグローバルＩＰアドレスおよびホスト名の組み合わせと一致しているか否かが照合される（Ｓ９１）。
【０１５０】
この場合、管理サーバ４は、図２１のステップＳ８３において自宅側パソコン３１からグローバルＩＰアドレスの変更通知を受信し、ホスト名対応テーブルが更新されているので、第３ＨＤＤコンポ６Ｃからテンポラリホスト名が送信されると、グローバルＩＰアドレスおよびホスト名の組み合わせは一致すると判別される。
【０１５１】
続いて、管理サーバ４では、ユニークＩＤおよびテンポラリホスト名の組み合わせが登録されているものと一致するか否かが照合される（Ｓ９２）。図１８のステップＳ６Ａに示したように、店舗側パソコン１から管理サーバ４に対して購入ＣＤのユニーク情報が送信され、管理サーバ４で記憶されているので、ユニークＩＤおよびテンポラリホスト名の組み合わせは一致すると判別される。
【０１５２】
これにより、管理サーバ４では、ユニークＩＤに基づいてＣＤが特定され（Ｓ９３）、トラックの歌詞データを含むイメージファイルが特定され（Ｓ９４）、第３ＨＤＤコンポ６Ｃに対し、トラックのアルバム情報が送信される（Ｓ９５）。第３ＨＤＤコンポ６Ｃでは、アルバム情報が送信されることにより、画像イメージが表示される（Ｓ９６）。すなわち、管理サーバ４は、第３ＨＤＤコンポ６Ｃに対して情報表示サービスを提供する。
【０１５３】
図２０（ｂ）に示す状態では、自宅側パソコン３１がＬＡＮ３３に接続されているが、第３ＨＤＤコンポ６Ｃでは、テンポラリホスト名によってアルバム情報を要求することになるので、第３ＨＤＤコンポ６Ｃは、情報表示サービスを適切に享受することができる。なお、第３ＨＤＤコンポ６Ｃでは、画像イメージが表示された後は、アルバム情報は消去される。
【０１５４】
その後、第３ＨＤＤコンポ６Ｃでは、自宅側パソコン３１との定期通信において自宅側パソコン３１からの返答がないと判別された場合（Ｓ９７：ＮＯ）、自宅側パソコン３１がＬＡＮ３３から外されて接続されなくなったと想定して、自宅側パソコン３１から転送され記憶されていたテンポラリホスト名「ａｂｃ」のデータが消去される（Ｓ９８）。これにより、第３ＨＤＤコンポ６Ｃでは、テンポラリホスト名「ａｂｃ」によってアルバム情報が提供されることがなくなる。
【０１５５】
このように、自宅側パソコン３１がＬＡＮ３２からＬＡＮ３３に移動されると、自宅側パソコン３１に記憶されていたホスト名が第３ＨＤＤコンポ６Ｃにテンポラリホスト名として記憶され、第３ＨＤＤコンポ６Ｃでは、このテンポラリホスト名に基づいて管理サーバ４から情報表示サービスが提供される。また、自宅側パソコン３１がＬＡＮ３３から外されると、第３ＨＤＤコンポ６Ｃには、管理サーバ４からの情報表示サービスの提供がされなくなる。すなわち、自宅側パソコン３１がＬＡＮ３３に接続されているときのみ、第３ＨＤＤコンポ６Ｃは、情報表示サービスを享受することができる。
【０１５６】
ここで、図２０（ｂ）に示すように、自宅側パソコン３１が外されたＬＡＮ３２には、第１ＨＤＤコンポ６Ａが接続されており、この第１ＨＤＤコンポ６Ａからアルバム情報を要求される場合を考える。
【０１５７】
この場合、第１ＨＤＤコンポ６Ａでは、図２２に示すように、トラックの再生要求が行われると（Ｓ１０１：ＹＥＳ）、管理サーバ４にユニーク情報、トラック番号、およびホスト名が送信される（Ｓ１０２）。
【０１５８】
管理サーバ４では、第１ＨＤＤコンポ６Ａから送信されたホスト名およびグローバルＩＰアドレスの組み合わせが、ホスト名対応テーブルに登録されているものと一致しているか否かが照合される（Ｓ１０３）。
【０１５９】
ところが、この場合、管理サーバ４は、図２１のステップＳ８３において自宅側パソコン３１からグローバルＩＰアドレスの変更通知を受信し、ホスト名対応テーブルを更新しているので、第１ＨＤＤコンポ６Ａから送信されたホスト名およびグローバルＩＰアドレスの組み合わせと一致せず（Ｓ１０４）、第１ＨＤＤコンポ６Ａに対してエラーを通知する（Ｓ１０５）。
【０１６０】
第１ＨＤＤコンポ６Ａでは、管理サーバ４のエラー通知が受信されると、アルバム情報が提供されないことが認識でき、画像イメージが表示部８に表示されずに、トラックの再生のみが行われる（Ｓ１０６）。
【０１６１】
また、図２０（ｃ）に示すように、自宅側パソコン３１をＬＡＮ３３から再度ＬＡＮ３２に接続し直し、さらに第３ＨＤＤコンポ６Ｃからのアルバム情報の要求があった場合を考える。この場合、第３ＨＤＤコンポ６Ｃでは、テンポラリホスト名が消去されるので、本来のホスト名「ｄｅｆ」に戻ることになる。そのため、店舗用パソコン１から管理サーバ４に送信されたホスト名「ａｂｃ」とは異なることになる。
【０１６２】
したがって、自宅側パソコン３１が接続されなくなったＬＡＮ３３上に接続されている第３ＨＤＤコンポ６Ｃから、アルバム情報が要求されても、自宅側パソコン３１が接続されていないときのＬＡＮ３２上の第１ＨＤＤコンポ６Ａと同様に、情報表示サービスが提供されることはない。そのため、自宅側パソコン３１がＬＡＮ上で接続されていないＨＤＤコンポは、情報表示サービスを享受できず、自宅側パソコン３１が複数のＬＡＮに接続していくことにより、情報表示サービスを享受することのできるＨＤＤコンポが際限なく増大するといった不都合を防止することができる。したがって、ＣＤ購入の特典として情報表示サービスを提供するＣＤ製造者若しくはＣＤ販売者にとって好ましいものとなり、ＣＤを購入した者と購入していない者とに不公平が生じることがない。
【０１６３】
ここで、上記したように、自宅側パソコン３１がＬＡＮ３３（他人宅のＬＡＮ）に接続された状態において（図２０（ｂ）の状態参照）、以前自宅側パソコン３１が接続されていたＬＡＮ３２上の第１ＨＤＤコンポ６Ａからアルバム情報の要求がされる場合がある。このような場合、第１ＨＤＤコンポ６Ａは、もともとＣＤを購入したユーザの所有であるので、そのような第１ＨＤＤコンポ６Ａからのアルバム情報の要求を無効にするのは、ＣＤを購入したユーザにとって酷であり望ましくない。そのため、図２０（ｂ）に示した状態で、第１ＨＤＤコンポ６Ａからアルバム情報の要求があった場合には、その要求を有効にするようにしてもよい。
【０１６４】
図２３は、図２０（ｂ）に示した状態で、第１ＨＤＤコンポ６Ａからアルバム情報の要求があった場合の、第１ＨＤＤコンポ６Ａおよび管理サーバ４の制御動作を示すシーケンス図である。なお、第１ＨＤＤコンポ６Ａは、ユニーク情報を店舗側パソコン１から受信しているものとする。
【０１６５】
ここで、管理サーバ４では、図１８に示すステップＳ６Ａの店舗側パソコン１からホスト名（ユーザが設定したもの）が送信されることから、このホスト名をオリジナルのホスト名（以下、「オリジナルホスト名」という。）として認識される。
【０１６６】
第１ＨＤＤコンポ６Ａでは、図２３に示すように、トラック再生の操作がされると（Ｓ１１１：ＹＥＳ）、管理サーバ４にユニーク情報、トラック番号、およびホスト名が送信される（Ｓ１１２）。管理サーバ４では、ホスト名およびグローバルＩＰアドレスの組み合わせが登録されているものと照合される（Ｓ１１３）。
【０１６７】
この場合、管理サーバ４では、第１ＨＤＤコンポ６Ａから送信されたホスト名がオリジナルホスト名であるか否かが判別される（Ｓ１１４）。例えば第１ＨＤＤコンポ６Ａが接続されているＬＡＮ３２とは異なるＬＡＮに接続されている他のＨＤＤコンポから送信されたホスト名は、オリジナルホスト名ではないので（Ｓ１１４：ＮＯ）、他のＨＤＤコンポに対してエラー通知がされる（Ｓ１１５）。第１ＨＤＤコンポ６Ａから送信されたホスト名はオリジナルホスト名であるので（Ｓ１１４：ＹＥＳ）、管理サーバ４では、第１ＨＤＤコンポ６Ａに対してグローバルＩＰアドレスを強制的に送信させる命令が送信される（Ｓ１１６）。
【０１６８】
第１ＨＤＤコンポ６Ａでは、ＬＡＮ３２のグローバルＩＰアドレスが管理サーバ４に対して送信される（Ｓ１１７）。これにより、管理サーバ４では、ホスト名対応テーブルが更新される（Ｓ１１８）。そして、ステップＳ１１９において、再度、ホスト名およびグローバルＩＰアドレスの組み合わせが登録されているものと照合され、この場合、組み合わせは一致するので、アルバム情報が第１ＨＤＤコンポ６Ａに送信される（Ｓ１２０）。したがって、第１ＨＤＤコンポ６Ａでは、画像イメージが表示されながらトラックが再生される（Ｓ１２１）。
【０１６９】
このように、もともとＣＤを購入したユーザが所有する第１ＨＤＤコンポ６Ａからアルバム情報の要求がされる場合には、自宅側パソコン３１がＬＡＮ３３に接続されているときであっても、第１ＨＤＤコンポ６Ａからのアルバム情報の要求を有効にしてもよい。
【０１７０】
さらに、自宅側パソコン３１がＬＡＮ３３に接続された状態において（図２０（ｂ）の状態参照）、上記したように、第１ＨＤＤコンポ６Ａにアルバム情報の提供がされているときに、ＬＡＮ３３に接続されている第３ＨＤＤコンポ６Ｃからアルバム情報の要求がされる場合がある。すなわち、第１ＨＤＤコンポ６Ａと第３ＨＤＤコンポ６Ｃとのアルバム情報の要求が前後して行われる場合が考えられる。
【０１７１】
このような場合には、オリジナルホスト名を有する第１ＨＤＤコンポ６Ａが優先されるようにしてもよい。すなわち、第３ＨＤＤコンポ６Ｃでは、図２４に示すように、トラック再生の操作がなされると（Ｓ１３１：ＹＥＳ）、管理サーバ４にユニーク情報、トラック番号、およびテンポラリホスト名が送信される（Ｓ１３２）。管理サーバ４では、直前に（例えば５，６分以内に）オリジナルホスト名を有するＨＤＤコンポ（すなわち第１ＨＤＤコンポ６Ａ）からのアルバム情報の要求がありアルバム情報を送信済みであるか否かが判別される（Ｓ１３３）。
【０１７２】
管理サーバ４では、直前にオリジナルホスト名を有するＨＤＤコンポにアルバム情報が送信済みであると判別された場合（Ｓ１３３：ＹＥＳ）、テンポラリホスト名を有するＨＤＤコンポ（第３ＨＤＤコンポ６Ｃ）からのアルバム情報の要求を所定時間禁止することが第３ＨＤＤコンポ６Ｃに通知される（Ｓ１３４）。この場合、第３ＨＤＤコンポ６Ｃの表示部８には、そのことが表示されてもよい。
【０１７３】
その後、所定時間（例えば５分）経過した場合（Ｓ１３５：ＹＥＳ）、管理サーバ４では、第３ＨＤＤコンポ６Ｃに対してグローバルＩＰアドレスを強制的に送信させる命令が送信される（Ｓ１３６）。
【０１７４】
第３ＨＤＤコンポ６Ｃでは、ＬＡＮ３３のグローバルＩＰアドレスが管理サーバ４に対して送信されるので（Ｓ１３７）、管理サーバ４では、ホスト名対応テーブルが更新される（Ｓ１３８）。そして、ステップＳ１３９において、ホスト名およびグローバルＩＰアドレスの組み合わせが登録されているものと照合され、この場合、組み合わせは一致するので、アルバム情報が第３ＨＤＤコンポ６Ｃに送信される（Ｓ１４０）。したがって、第３ＨＤＤコンポ６Ｃでは、画像イメージが表示されながらトラックが再生される（Ｓ１４１）。
【０１７５】
なお、ステップＳ１３４において、直前にオリジナルホスト名を有するＨＤＤコンポにアルバム情報が送信済みでないと判別された場合（Ｓ１３３：ＮＯ）、ホスト名およびグローバルＩＰアドレスの組み合わせが登録されているものと照合された後、アルバム情報が第３ＨＤＤコンポ６Ｃに送信される（Ｓ１３９，Ｓ１４０）。
【０１７６】
このように、自宅側パソコン３１がＬＡＮ３３に接続された状態において、第１ＨＤＤコンポ６Ａにアルバム情報の提供がされているときに、第３ＨＤＤコンポ６Ｃからアルバム情報の要求がされる場合には、第１ＨＤＤコンポ６Ａへのアルバム情報の提供が優先されて行われるようにしてもよい。
【０１７７】
もちろん、この発明の範囲は上述した実施の形態に限定されるものではない。ＨＤＤコンポの構成は、図６に示す構成に限るものではない。
【図面の簡単な説明】
【０１７８】
【図１】本願発明に係るサービス提供システムの一例を示す構成図である。
【図２】ＣＤの印字面の構成を示す図である。
【図３】画像イメージを示す図である。
【図４】歌詞データテーブルの一例を示す図である。
【図５】ＨＤＤコンポの前面図である。
【図６】ＨＤＤコンポの内部構成を示す図である。
【図７】トラックテーブルの一例を示す図である。
【図８】ＣＤが購入される際の各機器の制御動作を示すシーケンス図である。
【図９】ユニーク情報が携帯電話を経由してＨＤＤコンポに転送される場合の制御動作を示すシーケンス図である。
【図１０】ＨＤＤコンポでのトラック再生時における各機器の制御動作を示すシーケンス図である。
【図１１】歌詞データが表示されたときのＨＤＤコンポの前面図である。
【図１２】サービス提供システムの変形例を示す構成図である。
【図１３】自宅側パソコンがＬＡＮ上にあるＨＤＤコンポにユニーク情報を転送するときの制御動作を示すシーケンス図である。
【図１４】他のＬＡＮが接続された場合のサービス提供システムを示す構成図である。
【図１５】自宅側パソコンが他のＬＡＮに移動されることを説明するための図である。
【図１６】ホスト名対応テーブルの一例を示す図である。
【図１７】ホスト名保持システムが採用されるときの自宅側パソコンおよび管理サーバの初期設定動作を示すシーケンス図である。
【図１８】ＣＤが購入される際の各機器の制御動作を示すシーケンス図である。
【図１９】トラック再生時における第１ＨＤＤコンポと管理サーバとの制御動作を示すシーケンス図である。
【図２０】自宅側パソコンが他のＬＡＮに移動されることを説明するための図である。
【図２１】自宅側パソコンが他のＬＡＮに接続された状態における各機器の制御動作を示すシーケンスである。
【図２２】自宅側パソコンが他のＬＡＮに接続された状態における第１ＨＤＤコンポと管理サーバの制御動作を示すシーケンスである。
【図２３】自宅側パソコンが他のＬＡＮに接続された状態において、第１ＨＤＤコンポによるアルバム情報の要求を有効にするときの、第１ＨＤＤコンポと管理サーバの制御動作を示すシーケンスである。
【図２４】自宅側パソコンが他のＬＡＮに接続された状態において、第３ＨＤＤコンポによるアルバム情報の要求を有効にするときの、第３ＨＤＤコンポと管理サーバの制御動作を示すシーケンスである。
【符号の説明】
【０１７９】
１  店舗側パソコン（情報端末装置または第1の情報端末装置）
２  ＩＤライタ（情報記録手段）
３  インターネット（広域ネットワーク回線）
４  管理サーバ（管理用情報端末装置）
４ａ  データベース（第２の記憶装置）
５  ルーラ
６  ＨＤＤコンポ（音楽再生装置）
６Ａ  第１ＨＤＤコンポ（音楽再生装置）
６Ｂ  第２ＨＤＤコンポ（音楽再生装置）
６Ｃ  第３ＨＤＤコンポ（音楽再生装置）
８  表示部（表示手段）
１０  スイッチ
１１  ＣＤ挿入口
１３  イメージ切換スイッチ
１４  ＣＰＵ
１６  ハードディスク装置（第1の記憶装置）
２５  ＣＤ再生部
２６  ＩＣチップ読取部（情報読取手段）
３１  自宅側パソコン（第２の情報端末装置）
３２  ＬＡＮ（地域特定ネットワーク回線）
３３  ＬＡＮ（他の地域特定ネットワーク回線）
Ｃａ  ＩＣチップ（チップ型の記録素子）
【図１】
2010097672.tif 000003
【図２】
2010097672.tif 000004
【図３】
2010097672.tif 000005
【図４】
2010097672.tif 000006
【図５】
2010097672.tif 000007
【図６】
2010097672.tif 000008
【図７】
2010097672.tif 000009
【図８】
2010097672.tif 000010
【図９】
2010097672.tif 000011
【図１０】
2010097672.tif 000012
【図１１】
2010097672.tif 000013
【図１２】
2010097672.tif 000014
【図１３】
2010097672.tif 000015
【図１４】
2010097672.tif 000016
【図１５】
2010097672.tif 000017
【図１６】
2010097672.tif 000018
【図１７】
2010097672.tif 000019
【図１８】
2010097672.tif 000020
【図１９】
2010097672.tif 000021
【図２０】
2010097672.tif 000022
【図２１】
2010097672.tif 000023
【図２２】
2010097672.tif 000024
【図２３】
2010097672.tif 000025
【図２４】
2010097672.tif 000026